(57)【特許請求の範囲】
【請求項１】
組織をステープル留めするための円形の外科用ステープラであって、
（ａ）ステープル留めヘッドアセンブリであって、前記ステープル留めヘッドアセンブリは、
（ｉ）組織をアンビルに当ててクランプするように動作可能である閉鎖アセンブリ、及び
（ｉｉ）少なくとも１つのステープルを、前記アンビルに向かって、組織を貫通させて打ち込むように動作可能である発射アセンブリ
を含む、ステープル留めヘッドアセンブリと、
（ｂ）前記ステープル留めヘッドアセンブリと連絡した回転駆動軸と、
（ｃ）前記回転駆動軸に結合される本体アセンブリであって、前記本体アセンブリは、組織クランプモードと発射モードとの間で選択を行うように動作可能であるモード選択器を含み、前記回転駆動軸は、前記組織クランプモードの選択に応じて前記閉鎖アセンブリを作動させるように動作可能であり、前記回転駆動軸は、前記発射モードの選択に応じて前記発射アセンブリを作動させるように動作可能である、本体アセンブリと、
を備え、
前記本体アセンブリがハウジングを更に含み、前記モード選択器が、前記本体アセンブリの前記ハウジングに対して移動可能な環状部材を含み、
前記本体アセンブリの前記ハウジングが複数のスロットを更に画定し、前記モード選択器が、前記環状部材から突出するピン部材を更に含み、前記ピン部材は、前記モード選択器によるモード選択中に前記複数のスロットを横断するように構成される、ステープラ。
【請求項２】
前記モード選択器が、前記組織クランプモードと前記発射モードとの間で選択を行うために、前記回転駆動軸を第１の長手方向位置と第２の長手方向位置との間で並進させるように動作可能である、請求項１に記載のステープラ。
【請求項３】
前記モード選択器が近位位置と遠位位置との間で移動可能であり、前記近位位置は前記発射モードに関連付けられ、前記遠位位置は前記組織クランプモードに関連付けられる、請求項１に記載のステープラ。
【請求項４】
前記モード選択器が、前記アンビルを前記ステープル留めヘッドアセンブリに対して閉じるべく前記回転駆動軸の回転をトリガするために、第１の方向に回転可能である、請求項３に記載のステープラ。
【請求項５】
前記モード選択器が、前記アンビルを前記ステープル留めヘッドアセンブリに対して開くべく前記回転駆動軸の回転をトリガするために、第２の方向に回転可能である、請求項４に記載のステープラ。
【請求項６】
前記モード選択器が、前記少なくとも１つのステープルを、前記ステープル留めヘッドアセンブリから前記アンビルに向かって、組織を貫通させて打ち込むべく前記回転駆動軸の回転をトリガするために、第１の方向に回転可能である、請求項３に記載のステープラ。
【請求項７】
前記発射アセンブリが、ナイフを、組織を貫通させて打ち込むように更に動作可能である、請求項１に記載のステープラ。
【請求項８】
前記本体アセンブリがスイッチを含み、前記スイッチは、前記ステープル留めヘッドアセンブリを選択的に稼動するように構成され、前記スイッチは、前記モード選択器の回転に応じて稼動されるように位置付けられる、請求項１に記載のステープラ。
【請求項９】
モータを更に備え、前記モータは前記回転駆動軸を駆動するように動作可能である、請求項１に記載のステープラ。
【請求項１０】
前記回転駆動軸の手動回転を提供するために前記モータを前記回転駆動軸から選択的に係合解除するように動作可能である手動動作選択器を更に備える、請求項９に記載のステープラ。
【請求項１１】
制御アセンブリを更に備え、前記制御アセンブリは、
（ｉ）前記ステープル留めヘッドアセンブリの動作に関連付けられた１つ又は２つ以上の状態を検知するように構成されるセンサ、及び
（ｉｉ）前記センサ及び前記モータと通信している制御モジュールであって、前記制御モジュールは、前記センサからの信号に少なくとも一部基づき前記モータの動作を制御するように動作可能である、制御モジュール
を含む、請求項９に記載のステープラ。
【請求項１２】
（ａ）フィードバック機構であって、前記フィードバック機構は、前記ステープル留めヘッドアセンブリの動作に関連付けられた状態を指示するために音声フィードバック又は視覚フィードバックのうちの１つ又は両方を操作者に提供するように動作可能である、フィードバック機構と、
（ｂ）制御アセンブリであって、
（ｉ）前記ステープル留めヘッドアセンブリの動作に関連付けられた１つ又は２つ以上の状態を検知するように構成されるセンサ、及び
（ｉｉ）前記センサ及び前記フィードバック機構と通信している制御モジュールであって、前記制御モジュールは、前記センサからの信号に少なくとも一部基づき前記フィードバック機構を駆動するように動作可能である、制御モジュール、
を含む、制御アセンブリと、
を更に備える、請求項１に記載のステープラ。
【請求項１３】
前記ステープラが、手動動作モードとモータ駆動動作モードとの間で切り換わるように構成され、前記制御アセンブリが、前記手動動作モードが選択されているのか、それとも前記モータ駆動動作モードが選択されているのかを指示するために前記フィードバック機構を駆動するように動作可能である、請求項１２に記載のステープラ。
【請求項１４】
前記制御アセンブリが、前記組織クランプモードが選択されているのか、それとも前記発射モードが選択されているのかを指示するために前記フィードバック機構を駆動するように動作可能である、請求項１２に記載のステープラ。
【請求項１５】
前記制御アセンブリが、前記アンビルと前記ステープル留めヘッドアセンブリとの間の距離を指示するために前記フィードバック機構を駆動するように動作可能である、請求項１２に記載のステープラ。
【請求項１６】
前記本体アセンブリがハンドルを画定する、請求項１に記載のステープラ。
【発明の詳細な説明】
【背景技術】
【０００１】
いくつかの環境では、外科医は、患者の開口部を通して外科用器具を位置付け、この器具を使用して、患者の体内で組織を調節する、位置付ける、取付ける、及び／又は別の方法で組織との相互作用を求めることがある。例えば、いくつかの外科処置では、望ましくない組織を排除するか又は他の理由で、胃腸管の部分を切り離し除去することがある。一旦所望の組織を除去すると、残りの部分を互いに再結合することが必要になる場合がある。これらの吻合処置を達成するための１つのかかる用具は、患者の開口部を通して挿入される円形ステープラである。
【０００２】
円形の外科用ステープラの例としては、「Ｓｕｒｇｉｃａｌ  Ａｎａｓｔｏｍｏｓｉｓ  Ｓｔａｐｌｉｎｇ  Ｉｎｓｔｒｕｍｅｎｔ」と題される１９９３年４月２７日に発行された米国特許第５，２０５，４５９号、「Ｓｕｒｇｉｃａｌ  Ａｎａｓｔｏｍｏｓｉｓ  Ｓｔａｐｌｉｎｇ  Ｉｎｓｔｒｕｍｅｎｔ」と題される１９９３年１２月２１日に発行された米国特許第５，２７１，５４４号、「Ｓｕｒｇｉｃａｌ  Ａｎａｓｔｏｍｏｓｉｓ  Ｓｔａｐｌｉｎｇ  Ｉｎｓｔｒｕｍｅｎｔ」と題される１９９４年１月４日に発行された米国特許第５，２７５，３２２号、「Ｓｕｒｇｉｃａｌ  Ａｎａｓｔｏｍｏｓｉｓ  Ｓｔａｐｌｉｎｇ  Ｉｎｓｔｒｕｍｅｎｔ」と題される１９９４年２月１５日に発行された米国特許第５，２８５，９４５号、「Ｓｕｒｇｉｃａｌ  Ａｎａｓｔｏｍｏｓｉｓ  Ｓｔａｐｌｉｎｇ  Ｉｎｓｔｒｕｍｅｎｔ」と題される１９９４年３月８日に発行された米国特許第５，２９２，０５３号、「Ｓｕｒｇｉｃａｌ  Ａｎａｓｔｏｍｏｓｉｓ  Ｓｔａｐｌｉｎｇ  Ｉｎｓｔｒｕｍｅｎｔ」と題される１９９４年８月２日に発行された米国特許第５，３３３，７７３号、「Ｓｕｒｇｉｃａｌ  Ａｎａｓｔｏｍｏｓｉｓ  Ｓｔａｐｌｉｎｇ  Ｉｎｓｔｒｕｍｅｎｔ」と題される１９９４年９月２７日に発行された米国特許第５，３５０，１０４号、及び「Ｓｕｒｇｉｃａｌ  Ａｎａｓｔｏｍｏｓｉｓ  Ｓｔａｐｌｉｎｇ  Ｉｎｓｔｒｕｍｅｎｔ」と題される１９９６年７月９日に発行された米国特許第５，５３３，６６１号に記載されているものが挙げられる。これらの米国特許のそれぞれの開示内容は参照により本明細書に組み込まれる。かかるステープラのいくつかは、組織層をクランプし、クランプされた組織層を切断し、ステープルを、組織層を貫通させて打ち込むことによって、切断された端部付近で切断された組織層をともに実質的に封止するように動作可能であり、それにより、解剖学的管腔の２つの切断された端部を接合する。
【０００３】
更なるあくまで例示の他の外科用ステープラは、米国特許第４，８０５，８２３号（１９８９年２月２１日発行の「Ｐｏｃｋｅｔ  Ｃｏｎｆｉｇｕｒａｔｉｏｎ  ｆｏｒ  Ｉｎｔｅｒｎａｌ  Ｏｒｇａｎ  Ｓｔａｐｌｅｒｓ」）、同第５，４１５，３３４号（１９９５年５月１６日発行の「Ｓｕｒｇｉｃａｌ  Ｓｔａｐｌｅｒ  ａｎｄ  Ｓｔａｐｌｅ  Ｃａｒｔｒｉｄｇｅ」）、同第５，４６５，８９５号（１９９５年１１月１４日発行の「Ｓｕｒｇｉｃａｌ  Ｓｔａｐｌｅｒ  Ｉｎｓｔｒｕｍｅｎｔ」）、同第５，５９７，１０７号（１９９７年１月２８日発行の「Ｓｕｒｇｉｃａｌ  Ｓｔａｐｌｅｒ  Ｉｎｓｔｒｕｍｅｎｔ」）、同第５，６３２，４３２号（１９９７年５月２７日発行の「Ｓｕｒｇｉｃａｌ  Ｉｎｓｔｒｕｍｅｎｔ」）、同第５，６７３，８４０号（１９９７年１０月７日発行の「Ｓｕｒｇｉｃａｌ  Ｉｎｓｔｒｕｍｅｎｔ」）、同第５，７０４，５３４号（１９９８年１月６日発行の「Ａｒｔｉｃｕｌａｔｉｏｎ  Ａｓｓｅｍｂｌｙ  ｆｏｒ  Ｓｕｒｇｉｃａｌ  Ｉｎｓｔｒｕｍｅｎｔｓ」）、同第５，８１４，０５５号（１９９８年９月２９日発行の「Ｓｕｒｇｉｃａｌ  Ｃｌａｍｐｉｎｇ  Ｍｅｃｈａｎｉｓｍ」）、同第６，９７８，９２１号（２００５年１２月２７日発行の「Ｓｕｒｇｉｃａｌ  Ｓｔａｐｌｉｎｇ  Ｉｎｓｔｒｕｍｅｎｔ  Ｉｎｃｏｒｐｏｒａｔｉｎｇ  ａｎ  Ｅ−Ｂｅａｍ  Ｆｉｒｉｎｇ  Ｍｅｃｈａｎｉｓｍ」）、同第７，０００，８１８号（２００６年２月２１日発行の「Ｓｕｒｇｉｃａｌ  Ｓｔａｐｌｉｎｇ  Ｉｎｓｔｒｕｍｅｎｔ  Ｈａｖｉｎｇ  Ｓｅｐａｒａｔｅ  Ｄｉｓｔｉｎｃｔ  Ｃｌｏｓｉｎｇ  ａｎｄ  Ｆｉｒｉｎｇ  Ｓｙｓｔｅｍｓ」）、同第７，１４３，９２３号（２００６年１２月５日発行の「Ｓｕｒｇｉｃａｌ  Ｓｔａｐｌｉｎｇ  Ｉｎｓｔｒｕｍｅｎｔ  Ｈａｖｉｎｇ  ａ  Ｆｉｒｉｎｇ  Ｌｏｃｋｏｕｔ  ｆｏｒ  ａｎ  Ｕｎｃｌｏｓｅｄ  Ａｎｖｉｌ」）、同第７，３０３，１０８号（２００７年１２月４日発行の「Ｓｕｒｇｉｃａｌ  Ｓｔａｐｌｉｎｇ  Ｉｎｓｔｒｕｍｅｎｔ  Ｉｎｃｏｒｐｏｒａｔｉｎｇ  ａ  Ｍｕｌｔｉ−Ｓｔｒｏｋｅ  Ｆｉｒｉｎｇ  Ｍｅｃｈａｎｉｓｍ  ｗｉｔｈ  ａ  Ｆｌｅｘｉｂｌｅ  Ｒａｃｋ」）、同第７，３６７，４８５号（２００８年５月６日発行の「Ｓｕｒｇｉｃａｌ  Ｓｔａｐｌｉｎｇ  Ｉｎｓｔｒｕｍｅｎｔ  Ｉｎｃｏｒｐｏｒａｔｉｎｇ  ａ  Ｍｕｌｔｉｓｔｒｏｋｅ  Ｆｉｒｉｎｇ  Ｍｅｃｈａｎｉｓｍ  Ｈａｖｉｎｇ  ａ  Ｒｏｔａｒｙ  Ｔｒａｎｓｍｉｓｓｉｏｎ」）、米同第７，３８０，６９５号（２００８年６月３日発行の「Ｓｕｒｇｉｃａｌ  Ｓｔａｐｌｉｎｇ  Ｉｎｓｔｒｕｍｅｎｔ  Ｈａｖｉｎｇ  ａ  Ｓｉｎｇｌｅ  Ｌｏｃｋｏｕｔ  Ｍｅｃｈａｎｉｓｍ  ｆｏｒ  Ｐｒｅｖｅｎｔｉｏｎ  ｏｆ  Ｆｉｒｉｎｇ」）、同許第７，３８０，６９６号（２００８年６月３日発行の「Ａｒｔｉｃｕｌａｔｉｎｇ  Ｓｕｒｇｉｃａｌ  Ｓｔａｐｌｉｎｇ  Ｉｎｓｔｒｕｍｅｎｔ  Ｉｎｃｏｒｐｏｒａｔｉｎｇ  ａ  Ｔｗｏ−Ｐｉｅｃｅ  Ｅ−Ｂｅａｍ  Ｆｉｒｉｎｇ  Ｍｅｃｈａｎｉｓｍ」）、同第７，４０４，５０８号（２００８年７月２９日発行の「Ｓｕｒｇｉｃａｌ  Ｓｔａｐｌｉｎｇ  ａｎｄ  Ｃｕｔｔｉｎｇ  Ｄｅｖｉｃｅ」）、同第７，４３４，７１５号、２００８年１０月１４日発行の「Ｓｕｒｇｉｃａｌ  Ｓｔａｐｌｉｎｇ  Ｉｎｓｔｒｕｍｅｎｔ  Ｈａｖｉｎｇ  Ｍｕｌｔｉｓｔｒｏｋｅ  Ｆｉｒｉｎｇ  ｗｉｔｈ  Ｏｐｅｎｉｎｇ  Ｌｏｃｋｏｕｔ」）、及び同第７，７２１，９３０号（２０１０年５月２５日発行の「Ｄｉｓｐｏｓａｂｌｅ  Ｃａｒｔｒｉｄｇｅ  ｗｉｔｈ  Ａｄｈｅｓｉｖｅ  ｆｏｒ  Ｕｓｅ  ｗｉｔｈ  ａ  Ｓｔａｐｌｉｎｇ  Ｄｅｖｉｃｅ」）に開示されている。これらの米国特許のそれぞれの開示内容は参照により本明細書に組み込まれる。参考として上述した外科用ステープラは、内視鏡手技において使用されるものとして記載されているが、かかる外科用ステープラは、開口手技及び／又は他の非内視鏡手技でも使用することができることを理解されたい。
【０００４】
様々な種類の外科用ステープル器具及び関連構成要素が作製され使用されてきたが、本発明者ら以前には、付属の請求項に記載されている本発明を誰も作製又は使用したことがないものと考えられる。
【図面の簡単な説明】
【０００５】
本明細書は、本技術を具体的に指摘し、かつ明確にその権利を請求する、特許請求の範囲によって完結するが、本技術は、以下の特定の実施例の説明を、添付図面と併せ読むことで、より良く理解されるものと考えられ、図面では、同様の参照符号は、同じ要素を特定する。
【図１】代表的な円形ステープル留め外科用器具の側面図である。
【図２Ａ】開位置にある代表的なアンビルを示す、図１の器具の代表的なステープル留めヘッドアセンブリの拡大縦断面図である。
【図２Ｂ】閉位置にあるアンビルを示す、図２Ａのステープル留めヘッドアセンブリの拡大縦断面図である。
【図２Ｃ】発射した位置にある代表的なステープルドライバ及びブレードを示す、図２Ａのステープル留めヘッドアセンブリの拡大縦断面図である。
【図３】アンビルに対抗して形成される代表的なステープルの拡大部分断面図である。
【図４Ａ】発射されてない位置にあるトリガ及びロック位置にあるロックアウト機構を示す、本体の一部分を取り除いた図１の外科用器具の代表的なアクチュエータハンドルアセンブリの拡大側面図である。
【図４Ｂ】発射した位置にあるトリガ及びロック解除位置にあるロックアウト機構を示す、図４Ａのアクチュエータハンドルアセンブリの拡大側面図である。
【図５】インジケータ窓及びインジケータレバーを示す、図１の外科用器具の代表的なインジケータアセンブリの拡大部分斜視図である。
【図６】代表的なインジケータバー及びそれに対応する代表的なステープル表現を示す、図５のインジケータ窓の概略図である。
【図７】別の代表的な円形ステープル留め外科用器具の斜視図を示す。
【図８】図７の器具のハンドル及び軸アセンブリの分解図を示す。
【図９】図７の器具のハンドルアセンブリの断面図を示す。
【図１０】図７のモータ及び電池アセンブリの拡大部分断面図を示す。
【図１１Ａ】第１の歯車が第２の歯車から係合解除された状態の、図７の器具の動作モード選択アセンブリの側面立面図を示す。
【図１１Ｂ】第１の歯車が第２の歯車と係合した状態の、図１１Ａの動作モード選択アセンブリの側面立面図を示す。
【図１２】図１１Ａの動作モード選択アセンブリの第１の歯車の正面立面図を示す。
【図１３】図１１Ａの動作モード選択アセンブリの第２の歯車の斜視図を示す。
【図１４】図７の器具のハンドルアセンブリの拡大部分斜視図を示す。
【図１５Ａ】アンビルがトロカールに結合されている様子を示す、モータ駆動動作モードが選択された状態の、図７の器具の断面図を示す。
【図１５Ｂ】組織クランプ位置における、モータ駆動動作モードが選択された状態の、図７の器具の断面図を示す。
【図１５Ｃ】発射位置における、モータ駆動動作モードが選択された状態の、図７の器具の断面図を示す。
【図１６】手動動作モードが選択されている様子を示す図７の器具のハンドルアセンブリの断面図を示す。
【図１７Ａ】アンビルがトロカールに結合されている様子を示す、手動動作モードが選択された状態の、図７の器具の断面図を示す。
【図１７Ｂ】組織クランプ位置における、手動モード動作が選択された状態の、図７の器具の断面図を示す。
【図１７Ｃ】発射位置における、手動動作モードが選択された状態の、図７の器具の断面図を示す。
【図１８】図７の器具とともに使用するための代表的な制御アセンブリの概略図を示す。
【図１９】別の代表的な動作モード選択アセンブリの部分斜視図を示す。
【図２０】図１９の動作モード選択アセンブリの正面図を示す。
【０００６】
図面は、決して限定することを意図するものではなく、本技術の様々な実施形態は、必ずしも図面に示されないものも含めた、様々な他の方法で実施し得ることが想到される。本明細書に組み込まれ、その一部を形成する添付図面は、本技術のいくつかの態様を示し、説明文と共に、本技術の原理を説明する役割を果たすものであるが、それを理解した上で、本技術は、示される厳密な配置構成に限定されるものではない。
【発明を実施するための形態】
【０００７】
本技術の特定の実施例に関する以下の説明は、本技術の範囲を限定するために使用されるべきではない。本技術のその他の実施例、特徴、態様、実施形態、及び有利点は、例として、本技術を実施するために想到される最良の形態の１つである以下の説明から、当業者には明らかとなるであろう。理解されるように、本明細書で説明される本技術は、全て本技術から逸脱することなく、その他種々の明白な態様が可能である。したがって、図面及び説明文は、例示的な性質のものであって限定的なものと見なすべきではない。
【０００８】
Ｉ．代表的な円形ステープル留め外科用器具の概要
図１〜６は、それぞれより詳細に後述される、ステープル留めヘッドアセンブリ（２０）、軸アセンブリ（６０）、及びアクチュエータハンドルアセンブリ（７０）を有する、代表的な円形外科用ステープル留め器具（１０）を示す。軸アセンブリ（６０）は、アクチュエータハンドルアセンブリ（７０）から遠位側に延在し、ステープル留めヘッドアセンブリ（２０）は軸アセンブリ（６０）の遠位端に連結される。概して、アクチュエータハンドルアセンブリ（７０）は、ステープル留めヘッドアセンブリ（２０）のステープルドライバ（２４）を作動させて、複数のステープル（６６）をステープル留めヘッドアセンブリ（２０）から送り出すように動作可能である。ステープル（６６）は曲げられて、器具（１０）の遠位端に取り付けられたアンビル（４０）によって完全なステープルを形成する。結果的に、図２Ａ〜２Ｃに示される組織（２）が、器具（１０）を使用してステープル留めされてもよい。
【０００９】
本実施例では、器具（１０）は閉鎖システム及び発射システムを備える。閉鎖システムは、トロカール（３８）、トロカールアクチュエータ（３９）、及び回転ノブ（９８）を備える。アンビル（４０）は、トロカール（３８）の遠位端に連結されてもよい。回転ノブ（９８）は、トロカール（３８）をステープル留めヘッドアセンブリ（２０）に対して長手方向で並進させ、それによって、アンビル（４０）がトロカール（３８）に連結されているときにアンビル（４０）を並進させて、アンビル（４０）とステープル留めヘッドアセンブリ（２０）との間で組織をクランプするように動作可能である。発射システムは、トリガ（７４）、トリガ作動アセンブリ（８４）、ドライバアクチュエータ（６４）、及びステープルドライバ（２４）を備える。ステープルドライバ（２４）は、ステープルドライバ（２４）を長手方向で作動させると組織を切断するように構成されたナイフ（３６）を含む。それに加えて、ステープルドライバ（２４）を長手方向で作動させると、ステープルドライバ（２４）がステープル（６６）も遠位側に駆動するように、ステープル（６６）は、ステープルドライバ（２４）の複数のステープル駆動部材（３０）の遠位側に位置付けられる。したがって、トリガ（７４）を作動させ、ドライバアクチュエータ（６４）を介してトリガ作動アセンブリ（８４）がステープルドライバ（２４）を作動させると、ナイフ（３６）及び部材（３０）がほぼ同時に組織（２）を切断すると共にステープル（６６）をステープル留めヘッドアセンブリ（２０）に対して遠位側で組織へと送り込む。閉鎖システム及び発射システムの構成要素と機能性について、次により詳細に記載する。
【００１０】
Ａ．代表的なアンビル
図１〜２Ｃに示されるように、アンビル（４０）は、器具（１０）に選択的に連結して表面を提供することができ、その表面に対抗してステープル（６６）が曲げられて、ステープル留めヘッドアセンブリ（２０）とアンビル（４０）との間に収容された物質をステープル留めしてもよい。本実施例のアンビル（４０）は、ステープル留めヘッドアセンブリ（２０）に対して遠位側に延在する、トロカール又は先の尖ったロッド（３８）に選択的に連結可能である。図２Ａ〜２Ｃを参照すると、アンビル（４０）は、アンビル（４０）の近位軸（４２）をトロカール（３８）の遠位先端に連結することによって、選択的に連結可能である。アンビル（４０）は、全体的に円形のアンビルヘッド（４８）と、アンビルヘッド（４８）から近位側に延在する近位軸（４２）とを備える。図示される実施例では、近位軸（４２）は、アンビル（４０）をトロカール（３８）に選択的に連結する、弾性的に付勢される保定クリップ（４６）を有する管状部材（４４）を備えるが、これは単に任意のものであり、アンビル（４０）をトロカール（３８）に連結する他の保定機構が同様に使用されてもよいことが理解されるべきである。例えば、Ｃ型クリップ、クランプ、ねじ切り、ピン、接着剤などが、アンビル（４０）をトロカール（３８）に連結するのに用いられてもよい。それに加えて、アンビル（４０）はトロカール（３８）に選択的に連結可能なものとして記載されているが、いくつかの型においては、近位軸（４２）は、アンビル（４０）が一旦取り付けられるとアンビル（４０）をトロカール（３８）から除去できないような、一方向の連結機構を含んでもよい。単に例示の一方向特徴部は、かかり、一方向スナップ、コレット、カラー、留め金、バンドなどを含む。勿論、アンビル（４０）をトロカール（３８）に結合するための更に他の構成は、本明細書の教示を考慮することで当業者には明らかとなるであろう。例えば、トロカール（３８）は、代わりに中空軸であってもよく、近位軸（４２）は、中空軸に挿入可能な尖らせたロッドを備えてもよい。
【００１１】
本実施例のアンビルヘッド（４８）は、アンビルヘッド（４８）の近位面（５０）に形成された複数のステープル形成ポケット（５２）を備える。結果的に、図２Ｃに示されるように、アンビル（４０）が閉位置にあり、ステープル（６６）がステープル留めヘッドアセンブリ（２０）から送り出されてステープル形成ポケット（５２）に送り込まれると、ステープル（６６）の脚部（６８）が曲げられて、完成したステープルが形成される。
【００１２】
アンビル（４０）を別個の構成要素として、アンビル（４０）は、ステープル留めヘッドアセンブリ（２０）に連結されるのに先立って、組織（２）の一部分に挿入され固定されてもよいことが理解されるべきである。単なる一例として、アンビル（４０）は、組織（２）の第１の管状部分に挿入され固定されてもよく、器具（１０）は、組織（２）の第２の管状部分に挿入され固定されてもよい。例えば、組織（２）の第１の管状部分は、アンビル（４０）の一部分又はその周りに縫合されてもよく、組織（２）の第２の管状部分は、トロカール（３８）又はその周りに縫合されてもよい。
【００１３】
図２Ａに示されるように、アンビル（４０）は次にトロカール（３８）に連結される。本実施例のトロカール（３８）は、最遠位の作動位置で示される。かかるトロカール（３８）の伸長位置は、アンビル（４０）の取付けに先立って組織（２）が連結されてもよい、より広い面積を提供してもよい。それに加えて、トロカール（３８）の伸長位置はまた、トロカール（３８）に対するアンビル（４０）の取付けをより簡単にしてもよい。トロカール（３８）は先細の遠位先端を更に含む。かかる先端は、組織を穿孔し、かつ／又はトロカール（３８）上へのアンビル（４０）の挿入を支援することが可能であってもよいが、先細の遠位先端は単に任意のものである。例えば、他の型においては、トロカール（３８）は鈍端部を有してもよい。それに加えて、又はその代わりに、トロカール（３８）は、アンビル（４０）をトロカール（３８）に向かって引き付けてもよい、磁性部分（図示なし）を含んでもよい。当然ながら、アンビル（４０）及びトロカール（３８）の更なる別の構成及び配置は、本明細書の教示を考慮して当業者には明白となるであろう。
【００１４】
アンビル（４０）がトロカール（３８）に連結される際、アンビル（４０）の近位面とステープル留めヘッドアセンブリ（２０）の遠位面との間の距離によって、間隙距離ｄが規定される。本実施例のトロカール（３８）は、より詳細に後述するように、アクチュエータハンドルアセンブリ（７０）の近位端に位置する調節ノブ（９８）を介して、ステープル留めヘッドアセンブリ（２０）に対して長手方向で並進可能である。結果的に、アンビル（４０）がトロカール（３８）に連結されると、ステープル留めヘッドアセンブリ（２０）に対してアンビル（４０）を作動させることにより、調節ノブ（９８）の回転によって間隙距離ｄが拡大又は縮小する。例えば、図２Ａ〜２Ｂに連続的に示されるように、アンビル（４０）は、アクチュエータハンドルアセンブリ（７０）に対して初期の開位置から閉位置へと近位側に作動して示されており、それによって間隙距離ｄが縮小し、組織（２）の２つの部分の間の距離が接合される。一旦間隙距離ｄが所定の範囲内になると、図２Ｃに示されるように、ステープル留めヘッドアセンブリ（２０）が発射されて、アンビル（４０）とステープル留めヘッドアセンブリ（２０）との間の組織（２）をステープル留めし、切断してもよい。ステープル留めヘッドアセンブリ（２０）は、より詳細に後述するように、ユーザがアクチュエータハンドルアセンブリ（７０）のトリガ（７４）を枢動させることによって、組織（２）をステープル留めし切断するように動作可能である。
【００１５】
上述したように、間隙距離ｄは、アンビル（４０）とステープル留めヘッドアセンブリ（２０）との間の距離に相当する。器具（１０）が患者に挿入されると、この間隙距離ｄは簡単に視認できないことがある。結果的に、図５〜６に示される可動のインジケータバー（１１０）が、トリガ（７４）の反対側に位置付けられたインジケータ窓（１２０）を通して視認できるように設けられる。インジケータバー（１１０）は、インジケータバー（１１０）の位置が間隙距離ｄを表すように、調節ノブ（９８）の回転に反応して移動するように動作可能である。図６に示されるように、インジケータ窓（１２０）は、アンビルの間隙が所望の動作範囲（例えば、緑色の範囲若しくは「グリーンゾーン（greenzone）」）内にあることを示す目盛（１３０）と、目盛り（１３０）の各端部にあるそれに対応するステープル圧縮表示とを更に備える。単なる一例として、図６に示されるように、第１のステープル画像（１３２）は大きなステープル高さを描写し、第２のステープル画像（１３４）は小さなステープル高さを描写する。結果的に、ユーザは、インジケータバー（１１０）及び目盛（１３０）を介して、ステープル留めヘッドアセンブリ（２０）に対する連結されたアンビル（４０）の位置を視認することができる。ユーザは、次に、調節ノブ（９８）を介してアンビル（４０）の位置決めを適宜調節してもよい。
【００１６】
再び図２Ａ〜２Ｃを参照すると、ユーザは、アンビルヘッド（４８）がステープル留めされる組織（２）の一部分内に位置するようにして、組織（２）の一部分を管状部材（４４）の周りで縫合する。組織（２）がアンビル（４０）に取り付けられると、保定クリップ（４６）及び管状部材（４４）の一部分が組織（２）から突出するので、ユーザはアンビル（４０）をトロカール（３８）に連結してもよい。組織（２）がトロカール（３８）及び／又はステープル留めヘッドアセンブリ（２０）の別の部分に連結された状態で、ユーザは、アンビル（４０）をトロカール（３８）に取り付け、アンビル（４０）をステープル留めヘッドアセンブリ（２０）に向かって近位側に作動させて、間隙距離ｄを縮小させる。一旦器具（１０）が動作範囲内になると、ユーザは次に、組織（２）の端部を互いにステープル留めし、それによって組織（２）の実質的に連続した管状部分が形成される。
【００１７】
アンビル（４０）は、更に、参照により開示が本明細書に組み込まれる、米国特許第５，２０５，４５９号、米国特許第５，２７１，５４４号、米国特許第５，２７５，３２２号、米国特許第５，２８５，９４５号、米国特許第５，２９２，０５３号、米国特許第５，３３３，７７３号、米国特許第５，３５０，１０４号、米国特許第５，５３３，６６１号の教示の少なくとも一部にしたがって、及び／又は、本明細書の教示を考慮して当業者には明白となるであろう他の構成にしたがって構築されてもよい。
【００１８】
Ｂ．代表的なステープル留めヘッドアセンブリ
本実施例のステープル留めヘッドアセンブリ（２０）は、軸アセンブリ（６０）の遠位端に連結され、スライド可能なステープルドライバ（２４）を収納する管状ケーシング（２２）と、ステープルポケット（３２）内に収容された複数のステープル（６６）とを備える。ステープル（６６）及びステープルポケット（３２）は、管状ケーシング（２２）の周りの円形アレイ内に配設される。本実施例では、ステープル（６６）及びステープルポケット（３２）は、ステープル（６６）及びステープルポケット（３２）の同心の環状列の対の形で配設される。ステープルドライバ（２４）は、アクチュエータハンドルアセンブリ（７０）のトリガ（７４）の回転に反応して、管状ケーシング（２２）内で長手方向で作動するように動作可能である。図２Ａ〜２Ｃに示されるように、ステープルドライバ（２４）は、トロカール開口部（２６）と、中央凹部（２８）と、中央凹部（２８）の周りに円周方向で配設されると共に、軸アセンブリ（６０）に対して遠位側に延在する複数の部材（３０）とを有する、フレア形状の円筒状部材を備える。各部材（３０）は、複数のステープル（６６）のうち対応するステープル（６６）に接触し、それをステープルポケット（３２）内で係合するように構成される。結果的に、ステープルドライバ（２４）をアクチュエータハンドルアセンブリ（７０）に対して遠位側に作動させると、各部材（３０）が、管状ケーシング（２２）の遠位端に形成されたステープルアパーチャ（３４）を通して、対応するステープル（６６）をそのステープルポケット（３２）から送り出す。各部材（３０）はステープルドライバ（２４）から延在するので、複数のステープル（６６）は、ほぼ同時にステープル留めヘッドアセンブリ（２０）から送り出される。アンビル（４０）が閉位置にあるとき、ステープル（６６）はステープル形成ポケット（５２）に送り込まれてステープル（６６）の脚部（６８）が曲がり、それによってアンビル（４０）とステープル留めヘッドアセンブリ（２０）との間に位置する物質をステープル留めする。図３は、部材（３０）によってアンビル（４０）のステープル形成ポケット（３２）に送り込まれて脚部（６８）を曲げる、１つの単なる代表的なステープル（６６）を示す。
【００１９】
ステープルドライバ（２４）は、トロカール開口部（２６）と同軸であってステープルポケット（３２）から差し込まれる、円筒状のナイフ（３６）を更に含む。本実施例では、円筒状のナイフ（３６）は中央凹部（２８）内に配設されて、ステープルドライバ（２４）と共に遠位側に並進する。アンビル（４０）がトロカール（３８）に固定されると、上記したように、アンビルヘッド（４８）が表面を提供し、それに接して円筒状のナイフ（３６）が、アンビル（４０）とステープル留めヘッドアセンブリ（２０）との間に収容された物質を切り離す。いくつかの型においては、アンビルヘッド（４８）は、（例えば、協働する剪断縁部を提供することによって）物質を切り離すのを支援するため、円筒状のナイフ（３６）のための凹部（図示なし）を含んでもよい。それに加えて、又はその代わりに、アンビルヘッド（４８）は、鋏式の切断作用が提供されてもよいように、円筒状のナイフ（３６）から片寄った１つ又は２つ以上の向かい合った円筒状のナイフ（図示なし）を含んでもよい。更なる他の構成が、本明細書の教示を考慮することで当業者には明らかとなるであろう。ステープル留めヘッドアセンブリ（２０）は、したがって、アクチュエータハンドルアセンブリ（７０）による作動に反応して、組織（２）のステープル留め及び切断の両方をほぼ同時に行うように動作可能である。
【００２０】
当然ながら、ステープル留めヘッドアセンブリ（２０）は、更に、参照により開示が本明細書に組み込まれる、米国特許第５，２０５，４５９号、米国特許第５，２７１，５４４号、米国特許第５，２７５，３２２号、米国特許第５，２８５，９４５号、米国特許第５，２９２，０５３号、米国特許第５，３３３，７７３号、米国特許第５，３５０，１０４号、米国特許第５，５３３，６６１号の教示の少なくとも一部にしたがって、及び／又は、本明細書の教示を考慮して当業者には明白となるであろう他の構成にしたがって構築されてもよい。
【００２１】
上記したように、ステープルドライバ（２４）はトロカール開口部（２６）を含む。トロカール開口部（２６）は、トロカール（３８）がステープル留めヘッドアセンブリ（２０）及び／又は軸アセンブリ（６０）に対して長手方向でスライドできるように構成される。図２Ａ〜２Ｃに示されるように、トロカール（３８）は、アクチュエータハンドルアセンブリ（７０）を参照してより詳細に後述するように、回転ノブ（９８）の回転によってトロカール（３８）を長手方向で作動させることができるようにして、トロカールアクチュエータ（３９）に連結される。本実施例では、トロカールアクチュエータ（３９）は、トロカール（３８）に連結される細長く比較的剛性の軸を備えるが、これは単に任意のものである。いくつかの型においては、アクチュエータ（３９）は、器具（１０）の部分が使用中に選択的に曲げられるか又は湾曲されてもよいように横方向の曲げが可能な、長手方向で剛性の材料を備えてもよく、あるいは、器具（１０）は事前設定された曲げ軸アセンブリ（６０）を含んでもよい。１つの単なる代表的な材料はニチノールである。アンビル（４０）がトロカール（３８）に連結されると、トロカール（３８）及びアンビル（４０）は、アンビル（４０）とステープル留めヘッドアセンブリ（２０）との間の間隙距離ｄを調節するため、アクチュエータ（３９）を介して並進可能である。トロカール（３８）を長手方向で作動させるアクチュエータ（３９）の更なる別の構成は、本明細書の教示を考慮して当業者には明白となるであろう。
【００２２】
Ｃ．例示の軸アセンブリ
ステープル留めヘッドアセンブリ（２０）及びトロカール（３８）は、図２Ａ〜２Ｃに示されるように、軸アセンブリ（６０）の遠位端に位置付けられる。本実施例の軸アセンブリ（６０）は、外側管状部材（６２）及びドライバアクチュエータ（６４）を備える。外側管状部材（６２）は、ステープル留めヘッドアセンブリ（２０）の管状ケーシング（２２）に、かつアクチュエータハンドルアセンブリ（７０）の本体（７２）に連結され、それによって中の作動構成要素の機械的接地がもたらされる。ドライバアクチュエータ（６４）の近位端は、後述するアクチュエータハンドルアセンブリ（７０）のトリガ作動アセンブリ（８４）に連結される。ドライバアクチュエータ（６４）の遠位端は、トリガ（７４）の回転によってステープルドライバ（２４）を長手方向で作動させるように、ステープルドライバ（２４）に連結される。図２Ａ〜２Ｃに示されるように、ドライバアクチュエータ（６４）は、トロカール（３８）に連結されたアクチュエータ（３９）がドライバアクチュエータ（６４）内でそれに対して長手方向で作動してもよいように、開いた長手方向軸線を有する管状部材を備える。当然ながら、本明細書の教示を考慮して当業者には明白となるように、他の構成要素がドライバアクチュエータ（６４）内に配設されてもよいことが理解されるべきである。
【００２３】
軸アセンブリ（６０）は、更に、参照により開示が本明細書に組み込まれる、米国特許第５，２０５，４５９号、米国特許第５，２７１，５４４号、米国特許第５，２７５，３２２号、米国特許第５，２８５，９４５号、米国特許第５，２９２，０５３号、米国特許第５，３３３，７７３号、米国特許第５，３５０，１０４号、米国特許第５，５３３，６６１号の教示の少なくとも一部にしたがって、及び／又は、本明細書の教示を考慮して当業者には明白となるであろう他の構成にしたがって構築されてもよい。
【００２４】
Ｄ．代表的なアクチュエータハンドルアセンブリ
次に図４Ａ〜５を参照すると、アクチュエータハンドルアセンブリ（７０）は、本体（７２）、トリガ（７４）、ロックアウト機構（８２）、トリガ作動アセンブリ（８４）、及びトロカール作動アセンブリ（９０）を備える。本実施例のトリガ（７４）は、本体（７２）に枢動可能に装着され、トリガ（７４）を発射されてない位置（図４Ａに示される）から発射した位置（図４Ｂに示される）へと回転させることによって、上記のドライバアクチュエータ（６４）を作動させるように、トリガ作動アセンブリ（８４）に連結される。ばね（７８）は、本体（７２）及びトリガ（７４）に連結されて、トリガ（７４）を発射されてない位置に向かって付勢する。ロックアウト機構（８２）は、本体（７２）に連結される枢動可能な部材である。第１のロック位置では、ロックアウト機構（８２）は、ロックアウト機構（８２）がトリガ（７４）を係合し、ユーザによるトリガ（７４）の作動に機械的に抵抗するように、上方へと本体（７２）から離れる方向に枢動される。図１及び４Ｂに示されるような、第２のロック解除位置では、ロックアウト機構（８２）は、トリガ（７４）をユーザによって作動させてもよいように、下方へと枢動される。結果的に、ロックアウト機構（８２）が第２の位置にあると、トリガ（７４）はトリガ作動アセンブリ（８４）を係合して、器具（１０）を発射することができる。
【００２５】
図４Ａ〜４Ｂに示されるように、本実施例のトリガ作動アセンブリ（８４）は、ドライバアクチュエータ（６４）の近位端と係合されたスライド可能なトリガキャリッジ（８６）を備える。キャリッジ（８６）は、キャリッジ（８６）の近位端上に、トリガ（７４）から延在する一対のトリガアーム（７６）を保定し係合する一連のタブ（８８）を含む。結果的に、トリガ（７４）を枢動させると、キャリッジ（８６）が長手方向で作動し、長手方向の運動をドライバアクチュエータ（６４）に伝達する。図示される実施例では、キャリッジ（８６）はドライバアクチュエータ（６４）の近位端に固定的に連結されるが、これは単なる任意のものである。実際には、１つの単なる代表的な代替例では、キャリッジ（８６）は単に、遠位側のばね（図示なし）がドライバアクチュエータ（６４）を、アクチュエータハンドルアセンブリ（７０）に対して近位側に付勢している状態で、ドライバアクチュエータ（６４）に当接してもよい。
【００２６】
トリガ作動アセンブリ（８４）は、更に、参照により開示が本明細書に組み込まれる、米国特許第５，２０５，４５９号、米国特許第５，２７１，５４４号、米国特許第５，２７５，３２２号、米国特許第５，２８５，９４５号、米国特許第５，２９２，０５３号、米国特許第５，３３３，７７３号、米国特許第５，３５０，１０４号、米国特許第５，５３３，６６１号の教示の少なくとも一部にしたがって、及び／又は、本明細書の教示を考慮して当業者には明白となるであろう他の構成にしたがって構築されてもよい。
【００２７】
本体（７２）はまた、調節ノブ（９８）の回転に反応してトロカール（３８）を長手方向で作動させるように構成された、トロカール作動アセンブリ（９０）を収納する。図４Ａ〜５に最も良く示されるように、本実施例のトロカール作動アセンブリ（９０）は、調節ノブ（９８）、溝付きシャンク（９４）、及びスリーブ（９２）を備える。本実施例の溝付きシャンク（９４）は、トロカールアクチュエータ（３９）の遠位端に位置するが、溝付きシャンク（９４）及びトロカールアクチュエータ（３９）は、その代わりに、係合して長手方向移動を伝達する別個の構成要素であってもよいことが理解されるべきである。調節ノブ（９８）は、本体（７２）の近位端によって回転可能に支持され、内部タブ（図示なし）を介して溝付きシャンク（９４）と係合されたスリーブ（９２）を回転させるように動作可能である。本実施例の溝付きシャンク（９４）は、溝付きシャンク（９４）の外表面に形成された連続的な溝（９６）を備える。結果的に、調節ノブ（９８）を回転させると、内部タブが溝（９６）内で浮かび、溝付きシャンク（９４）がスリーブ（９２）に対して長手方向で作動する。溝付きシャンク（９４）はトロカールアクチュエータ（３９）の遠位端に位置するので、調節ノブ（９８）を第１の方向で回転させることによって、トロカールアクチュエータ（３９）がアクチュエータハンドルアセンブリ（７０）に対して遠位側に前進する。結果的に、アンビル（４０）とステープル留めヘッドアセンブリ（２０）との間の間隙距離ｄが増加する。調節ノブ（９８）を反対方向に回転させることによって、トロカールアクチュエータ（３９）がアクチュエータハンドルアセンブリ（７０）に対して近位側に作動して、アンビル（４０）とステープル留めヘッドアセンブリ（２０）との間の間隙距離ｄが減少する。したがって、トロカール作動アセンブリ（９０）は、調節ノブ（９８）の回転に反応してトロカール（３８）を作動させるように動作可能である。当然ながら、トロカール作動アセンブリ（９０）の他の構成は、本明細書の教示を考慮して当業者には明白となるであろう。
【００２８】
本実施例の溝（９６）は、軸線方向距離当たりの溝のピッチ又は数が様々である、複数の異なる部分（９６Ａ、９６Ｂ、９６Ｃ）を備える。本例の溝（９６）は、遠位部分（９６Ａ）、中間部分（９６Ｂ）、及び近位部分（９６Ｃ）に分割される。図５に示されるように、遠位部分（９６Ａ）は、溝付きシャンク（９４）の短い軸線距離にわたって微細なピッチ又は多数の溝を備えるので、短い軸線距離を横断するのに調節ノブ（９８）を多数回回転させることを要する。中間部分（９６Ｂ）は、軸線距離当たりの溝のピッチが比較的まばらであるか、又は溝の数がより少ない区画を備えるので、長い軸線距離を横断するのに要する回転数が比較的少ない。結果的に、間隙距離ｄは、調節ノブ（９８）の比較的少数回の回転によって迅速に減少してもよい。本実施例の近位部分（９６Ｃ）は、遠位部分（９６Ａ）に実質的に類似しており、溝付きシャンク（９４）の短い軸線距離にわたって微細なピッチ又は多数の溝を備えるので、短い軸線距離を横断するのに多数回の回転を要する。本実施例の近位部分（９６Ｃ）は、より詳細に後述するように、アンビル（４０）がステープル留めヘッドアセンブリ（２０）の実質的に近くにあるとき、スリーブ（９２）内に位置付けられるので、インジケータバー（１１０）は目盛（１３０）に沿ってインジケータ窓（１２０）内で移動して、アンビル間隙が所望の動作範囲内にあることを示唆する。結果として、タブが溝（９６）の近位部分（９６Ｃ）内にあるとき、調節ノブ（９８）を一回転させる毎に間隙距離ｄが少量減少して、微細な調整が提供されてもよい。
【００２９】
トロカール作動アセンブリ（９０）は、更に、参照により開示が本明細書に組み込まれる、米国特許第５，２０５，４５９号、米国特許第５，２７１，５４４号、米国特許第５，２７５，３２２号、米国特許第５，２８５，９４５号、米国特許第５，２９２，０５３号、米国特許第５，３３３，７７３号、米国特許第５，３５０，１０４号、米国特許第５，５３３，６６１号の教示の少なくとも一部にしたがって、及び／又は、本明細書の教示を考慮して当業者には明白となるであろう他の構成にしたがって構築されてもよい。
【００３０】
図４Ａ〜４Ｂに示される実施例では、Ｕ字型のクリップ（１００）が、溝付きシャンク（９４）の遠位側に位置するトロカールアクチュエータ（３９）の中間部分に取り付けられる。本例では、調節ノブ（９８）が回転された時に、トロカールアクチュエータ（３９）がその軸を中心にして回転するのを防止するために、トロカールアクチュエータ（３９）の拡張部分がハンドルアセンブリ（７０）のハウジング内のスロットと係合する。いくつかの他の変形例では、Ｕ字状クリップ（１００）は、調節ノブ（９８）が回転される時にトロカールアクチュエータ（３９）がその軸を中心にして回転するのを実質的に防止するために本体（７２）の一部分と係合している。本例のＵ字状クリップ（１００）は、ねじ、ボルト、ピン、クリップなどの取り付け部材を受容するためにそれの両側のそれぞれの上に細長いスロット（１０２）を更に含む。これにより、目盛（１３０）に対してインジケータバー（１１０）を較正する目的でトロカールアクチュエータ（３９）に対してＵ字状のクリップ（１００）の細長いスロット（１０２）の長手方向位置を選択的に調節する。
【００３１】
図５に示されるように、アクチュエータハンドルアセンブリ（７０）は、インジケータ（１０４）を係合し枢動させるように構成されたインジケータブラケット（１４０）を更に含む。本実施例のインジケータブラケット（１４０）は、本体（７２）に形成された一対のスロットに沿って、本体（７２）に対してスライド可能である。インジケータブラケット（１４０）は、長方形のプレート（１４４）、インジケータアーム（１４６）、及び角度付きのフランジ（１４２）を備える。角度付きのフランジ（１４２）は、長方形のプレート（１４４）の近位端に形成され、トロカールアクチュエータ（３９）及び／又は溝付きシャンク（９４）上にスライド可能に装着するためのアパーチャ（図示なし）を含む。コイルばね（１５０）は、フランジ（１４２）をＵ字型のクリップ（１００）に対して付勢するため、フランジ（１４２）とボス（１５２）との間に挟み込まれる。結果的に、Ｕ字型のクリップ（１００）がトロカールアクチュエータ（３９）及び／又は溝付きシャンク（９４）によって遠位側に作動すると、コイルばね（１５０）はインジケータブラケット（１４０）を付勢して、Ｕ字型のクリップ（１００）と共に遠位側へと移動させる。それに加えて、トロカールアクチュエータ（３９）及び／又は溝付きシャンク（９４）が近位側に並進すると、Ｕ字型のクリップ（１００）は、インジケータブラケット（１４０）をボス（１５２）に対して近位側に付勢し、それによってコイルばね（１５０）が圧縮される。当然ながら、いくつかの型においては、インジケータブラケット（１４０）は、トロカールアクチュエータ（３９）及び／又は溝付きシャンク（９４）に固定的に取り付けられてもよいことが理解されるべきである。
【００３２】
本実施例では、インジケータブラケット（１４０）が、アンビル間隙が所望の動作範囲（例えば、緑色の領域又は「グリーンゾーン」）内にあるときに相当しない長手方向位置にあるとき、ロックアウト機構（８２）の一部分がインジケータブラケット（１４０）の表面（１４１）に当接する。アンビル間隙が所望の動作範囲（例えば、緑色の領域又は「グリーンゾーン」）内にあるとき、インジケータブラケット（１４０）が狭窄して、インジケータアーム（１４６）のどちらかの側に一対の間隙（１４５）がもたらされて、ロックアウト機構（８２）が枢動することが可能になり、それによってトリガ（７４）が解放される。結果的に、ロックアウト機構（８２）及びインジケータブラケット（１４０）は、アンビル（４０）が所定の動作範囲内になるまで、ユーザがトリガ（７４）を解放し操作するのを実質的に防ぐことができる。当然ながら、いくつかの型においては、ロックアウト機構（８２）は全体的に省略されてもよいことが理解されるべきである。
【００３３】
この動作範囲は、簡潔に上記した、目盛（１３０）に対して示されるインジケータ（１０４）のインジケータバー（１１０）を介して、ユーザに視覚的に通信されてもよい。インジケータブラケット（１４０）の遠位端には、インジケータ（１０４）の移動を制御するため、横方向に突出する指（１４８）で終端する、遠位側に突出するインジケータアーム（１４６）がある。図５に最も良く示される、インジケータアーム（１４６）及び指（１４８）は、インジケータブラケット（１４０）を長手方向で作動させると、インジケータ（１０４）が枢動されるようにして、インジケータ（１０４）のタブ（１０６）を係合するように構成される。本実施例では、インジケータ（１０４）は、インジケータ（１０４）の第１の端部で本体（７２）に枢動可能に連結されるが、これは単に任意のものであり、インジケータ（１０４）の他の枢動点が、本明細書の教示を考慮して当業者には明白となるであろう。インジケータバー（１１０）は、インジケータブラケット（１４０）の作動に反応してインジケータバー（１１０）が移動するように、インジケータ（１０４）の第２の端部に位置付けられる。結果的に、上記したように、インジケータバー（１１０）は、アンビル（４０）とステープル留めヘッドアセンブリ（２０）との間の相対間隙距離ｄを示すため、目盛（１３０）（図６に示される）に対してインジケータ窓（１２０）を通して表示される。
【００３４】
当然ながら、インジケータブラケット（１４０）、インジケータ（１０４）、及び／又はアクチュエータハンドルアセンブリ（７０）は、更に、参照により開示が本明細書に組み込まれる、米国特許第５，２０５，４５９号、米国特許第５，２７１，５４４号、米国特許第５，２７５，３２２号、米国特許第５，２８５，９４５号、米国特許第５，２９２，０５３号、米国特許第５，３３３，７７３号、米国特許第５，３５０，１０４号、米国特許第５，５３３，６６１号の教示の少なくとも一部にしたがって、及び／又は、本明細書の教示を考慮して当業者には明白となるであろう他の構成にしたがって構築されてもよい。
【００３５】
ＩＩ．選択可能な制御を有する代表的なモータ駆動式円形ステープル留め外科用器具
場合によっては、器具（１０）のモータ駆動制御を提供することが望ましいことがある。ユーザが円形外科用ステープル留め器具（１０）のモータ駆動式変形例のモータ駆動制御又は手動制御のどちらかの間で選択を行うことを可能にすることが更に望ましい場合がある。例えば、器具（１０）は、ユーザが、自動化されたモータ駆動された回転作動システムを係合解除し、そのシステムの手動作動を提供することを許す、動作モード選択アセンブリを含んでもよい。また、単一の回転駆動のモードを組織クランプモードと組織切断／ステープル留めモードとの間で変更するための切り換えアセンブリを提供することが望ましい場合もある。換言すれば、このような切り換えアセンブリは、単一の回転駆動が、アンビル（４０）クランプ機構を作動させること、又は器具（１０）のナイフ（３６）及びステープル打ち込み機構を作動させることのどちらかを行うことを可能にしてもよい。以下の例は、単一のモータを用いて、単一の回転駆動を介して組織のクランプ及び切断／ステープル留めの両方を制御することができ、操作者はモータ駆動動作と手動動作との間で選択を行うことができる器具（１０）、並びにモータ駆動動作及び手動動作時に単一の回転駆動に応じるステープル留めヘッドカートリッジアセンブリの単なる例示的な変形例を含むに過ぎない。
【００３６】
Ａ．代表的な動作モード選択アセンブリ
図７は、器具（１０）の選択的モータ駆動式変形例である、別の代表的な円形ステープル留め器具（２１０）を示す。この例の器具（２１０）は、ステープル留めヘッドアセンブリ（２２０）と、アンビル（２４０）と、軸アセンブリ（２６０）と、ハンドルアセンブリ（２７０）と、を備える。ステープル留めヘッドアセンブリ（２２０）は、ステープル留めヘッドアセンブリ（２２０）はアンビル（２４０）と選択的に結合するという点で、ステープル留めヘッドアセンブリ（２０）と同様である。ステープル留めヘッドアセンブリ（２２０）は、組織をステープルポケット（３２）とアンビル（２４０）のステープル形成ポケット（５２）との間でクランプするように動作可能である。ステープル留めヘッドアセンブリ（２２０）は、ステープル留めヘッドアセンブリ（２２０）とアンビル（２４０）との間に捕捉された組織を切断するように動作可能である円筒状ナイフ（３６）を含む。ステープル留めヘッドアセンブリ（２２０）は、ステープル留めヘッドアセンブリ（２２０）とアンビル（２４０）との間に捕捉された組織にステープル（６６）を打ち込み、貫通させる。ステープル留め器具（２１０）は、患者の消化管内又はその他の場所にしっかりした吻合（例えば、端々吻合）を作り出すために用いられてもよい。
【００３７】
ステープル留めヘッドアセンブリ（２２０）は、ステープル留めヘッドアセンブリ（２２０）は、全て軸アセンブリ（２６０）を介して伝達される単一の回転入力に応じて組織をクランプし、組織を切断し、組織をステープル留めするように動作可能であるという点で、ステープル留めヘッドアセンブリ（２０）と異なる。したがって、ステープル留めヘッドアセンブリ（２２０）は並進クラッチ機構を含んでもよいが、軸アセンブリ（２６０）を通じて直線的に並進される作動入力はステープル留めヘッドアセンブリ（２２０）に必要ない。単なる一例として、ステープル留めヘッドアセンブリ（２２０）の少なくとも一部は、「Ｍｏｔｏｒ  Ｄｒｉｖｅｎ  Ｒｏｔａｒｙ  Ｉｎｐｕｔ  Ｃｉｒｃｕｌａｒ  Ｓｔａｐｌｅｒ  ｗｉｔｈ  Ｍｏｄｕｌａｒ  Ｅｎｄ  Ｅｆｆｅｃｔｏｒ」と題し、本出願と同日付で出願された、米国特許出願第［弁護士整理番号ＥＮＤ７１６１ＵＳＮＰ．０５９７９２２］号の教示のうちの少なくともいくつかに従って構成されてもよい。同出願の開示は本明細書において参照により組み込まれている。本明細書の教示に鑑みれば、ステープル留めヘッドアセンブリ（２２０）のその他の好適な構成が当業者には明らかであろう。
【００３８】
軸アセンブリ（２６０）は、軸アセンブリ（２６０）はハンドルアセンブリ（２７０）をステープル留めヘッドアセンブリ（２２０）と結合するという点で、軸アセンブリ（６０）と同様である。軸アセンブリ（２６０）は、軸アセンブリ（２６０）は単一の作動機構、図８に示される回転ドライバアクチュエータ（２６４）、を含むという点で、軸アセンブリ（６０）と異なる。ドライバアクチュエータ（２６４）は、組織をクランプし、組織を切断し、組織をステープル留めするべくステープル留めヘッドアセンブリ（２２０）を駆動するように動作可能である。したがって、回転ドライバアクチュエータ（２６４）は、組織クランプモードと組織切断／ステープル留めモードとの間で移動するために長手方向に並進してもよいが、軸アセンブリ（２６０）を通じた直線作動は必要ない。例えば、ドライバアクチュエータ（２６４）は、ドライバアクチュエータ（２６４）の回転がステープル留めヘッドアセンブリ（２２０）における組織のクランプを提供する、第１の長手方向位置から、ドライバアクチュエータ（２６４）の回転がステープル留めヘッドアセンブリ（２２０）における組織の切断及びステープル留めを提供する、第２の長手方向位置へ並進してもよい。軸アセンブリ（２６０）のいくつかの変形例は１つ又は２つ以上の可撓性部分を含んでもよい。可撓性部分を有するように構成され、軸アセンブリ（２６０）内に組み込まれてもよい軸アセンブリの一例が、「Ｍｏｔｏｒ  Ｄｒｉｖｅｎ  Ｒｏｔａｒｙ  Ｉｎｐｕｔ  Ｃｉｒｃｕｌａｒ  Ｓｔａｐｌｅｒ  ｗｉｔｈ  Ｌｏｃｋａｂｌｅ  Ｆｌｅｘｉｂｌｅ  Ｓｈａｆｔ」と題し、本出願と同日付で出願された、米国特許出願第［弁護士整理番号ＥＮＤ７１６３ＵＳＮＰ．０５９７９３３］号に開示されている。同出願の開示は本明細書において参照により組み込まれている。代替的に、軸アセンブリ（２６０）は軸アセンブリ（２６０）の長さに沿って硬質であるか、又は何らかの他の様式で構成された１つ又は２つ以上の可撓性部分を有してもよい。
【００３９】
図８〜図１０に、ハンドルアセンブリ（２７０）が示される。ハンドルアセンブリ（２７０）は、ハンドルハウジング（２７２）と、モータハウジング（２７４）と、モータ（２８０）と、電池（２８１）と、回転ノブ（２９８）と、動作モード選択アセンブリ（図１１Ａ〜図１１Ｂに示される）と、発射リング（２５２）と、を含む。モータハウジング（２７４）はハンドルハウジング（２７２）内に位置付けられる。ハンドルハウジング（２７２）は、図９に示されるように、モータハウジング（２７４）を支持するためにハンドルハウジング（２７２）内へ内向きに延びるリブ（２５５、２５６、２５７）を含む。電池（２８１）はモータハウジング（２７４）内においてモータ（２８０）の近位側に位置付けられる。電池（２８１）は、交換、廃棄、又は充電されるためにモータハウジング（２７４）から取り外されてもよい。図１０に最もうまく見られるように、電池（２８１）は、電池（２８１）から遠位側に延びる電気接点（２３１、２３２）を含む。モータ（２８０）は、モータ（２８０）から近位側に延在する電気接点（２３３、２３４）を含む。電池の電気接点（２３２）及びモータの電気接点（２３４）は導電性金属帯（２４２）を介して結合される。ねじ（２４３）が帯（２４２）をモータハウジング（２７４）に結合し、モータハウジング（２７４）に対する帯（２４２）の位置を固定する。その結果、帯（２４２）は、電池の電気接点（２３２）及びモータの電気接点（２３４）を常に結合するように構成される。
【００４０】
図１０に示されるように、電池の電気接点（２３１）は導電性金属帯（２４５）に結合される。金属帯（２４５）は導電性のねじ（２４７）を介してモータハウジング（２７４）に固定される。モータの電気接点（２３３）は導電性金属帯（２４４）に結合される。金属帯（２４４）は導電性のねじ（２４６）を介してモータハウジング（２７４）に固定される。モータハウジング（２７４）は電気絶縁性材料（例えば、プラスチック）で形成され、モータハウジング（２７４）の周囲に巻かれた環状接点（２８４、２８６）を含む。ねじ（２４６、２４７）は各々、それぞれの環状接点（２８４、２８６）と結合され、電池の電気接点（２３１）及びモータの電気接点（２３３）を環状接点（２８４、２８６）にそれぞれ電気結合する。
【００４１】
ハンドルハウジング（２７２）には別の導電性金属帯（２８２）が固定される。金属帯（２８２）のそれぞれの端部はそれぞれのばね接点（２８３、２８５）を形成する。モータハウジング（２７４）はハンドルハウジング（２７２）に対して近位側及び／又は遠位側に並進し、ばね接点（２８３、２８５）を環状接点（２８４、２８６）と選択的に結合し、及び／又は切り離す。具体的には、モータハウジング（２７４）が遠位位置（図１５Ａ）にあるときには、ばね接点（２８３）は環状接点（２８４）と係合し、ばね接点（２８５）は環状接点（２８６）と係合し、電池（２８１）をモータ（２８０）と結合し、モータ（２８０）に電力を供給する。ばね接点（２８３、２８５）は同じ導電性金属帯（２８２）の部分であるため、かつ接点（２３２、２３４）は帯（２４２）を介して元から結合されているため、ばね接点（２８３、２８５）と環状接点（２８４、２８６）との間の係合は電池（２８１）とモータ（２８０）との間の回路を完成させることを理解されたい。この位置付けは、以下において更に詳細に説明されるように、ステープル留めヘッドアセンブリ（２２０）のモータ駆動作動を提供するために用いられる。モータハウジング（２７４）が近位位置（図１７Ａ）にあるときには、ばね接点（２８３、２８５）は環状接点（２８４、２８６）から切り離され、そのため、電池（２８１）はモータ（２８０）から切り離され、モータ（２８０）は電力を受け取らない。この位置付けは、以下において更に詳細に説明されるように、ステープル留めヘッドアセンブリ（２２０）の手動作動を提供するために用いられる。環状接点（２８４、２８６）の環状形状は、ハンドルハウジング（２７２）内のモータハウジング（２７４）の角度位置にかかわらず、ばね接点（２８３、２８５）と環状接点（２８４、２８６）との間の適切な接触を可能にする。いくつかの変形例では、帯（２８２）は、外部スイッチと結合される開路を含んでもよく、それにより、ユーザは、モータハウジング（２７４）が遠位位置に来た後に、電池（２８１）とモータ（２８０）との間の結合を完成させるために外部スイッチを作動させてもよい。
【００４２】
モータハウジング（２７４）の近位端は、図８に示されるように、回転ノブ（２９８）にしっかりと固定される。回転ノブ（２９８）はハンドルハウジング（２７２）から近位側に突出し、回転ノブ（２９８）から遠位側に延びるスプライン（２９６）を含む。ハンドルハウジング（２７２）は、スプライン（２９６）と選択的に係合するための対応する歯（２５１）を含む。回転ノブ（２９８）を引っ張り、及び／又は押し、モータハウジング（２７４）をハンドルハウジング（２７２）内で並進させる。回転ノブ（２９８）が近位位置にあるときには（図１７Ａ）、スプライン（２９６）はハンドルハウジング（２７２）から係合解除され、それにより、回転ノブ（２９８）及びモータハウジング（２７４）はハンドルハウジング（２７２）に対して自由に回転する。この位置付けは、以下において更に詳細に説明されるように、ステープル留めヘッドアセンブリ（２２０）の手動作動を提供するために用いられる。回転ノブ（２９８）が遠位位置にあるときには（図１５Ａ）、スプライン（２９６）はハンドルハウジング（２７２）内の対応する歯（２５１）と係合し、回転ノブ（２９８）及びモータハウジング（２７４）をハンドルハウジング（２７２）に対して回転しないようにロックする。それゆえ、スプライン（２９６）及び歯（２５１）は、ハンドルハウジング（２７２）に対するモータハウジング（２７４）のためのメカニカルグラウンドを提供する。この位置付けは、以下において更に詳細に説明されるように、ステープル留めヘッドアセンブリ（２２０）のモータ駆動作動を提供するために用いられる。回転ノブ（２９８）はハンドルハウジング（２７２）内の弾性部材（２７９）によって遠位位置へ付勢される。具体的には、弾性部材（２７９）はハンドルハウジング（２７２）のリブ（２５５）から遠位側に、モータハウジング（２７４）の遠位端に一体的に固定される第１の歯車（２７８）まで延在する。回転ノブ（２９８）が近位位置にあるときには、弾性部材（２７９）は第１の歯車（２７８）とリブ（２５５）との間で縮み、ハンドルハウジング（２７２）を遠位位置へ弾性的に付勢する。
【００４３】
動作モード選択アセンブリは、ハンドルハウジング（２７２）内においてモータハウジング（２７４）の遠位側に位置付けられる。図１１〜図１３に示されるように、動作モード選択アセンブリは第１の歯車（２７８）及び第２の歯車（２７６）を含み、第１の歯車（２７８）は第２の歯車（２７６）の周りに同軸状に摺動自在に配設される。第１の歯車（２７８）は、図１２に示されるように、第１の歯車（２７８）の内側開口部を囲むように整列された四角い歯（２７７）を含む。歯（２７７）は、円周方向に離間配置された凹部のアレイを画定する。第２の歯車（２７６）は、図１３に示されるように、軸（２７３）、スプライン（２７５）、及び環状フランジ（２５８）を含む。軸（２７３）は、遠位側に向けられた開口部（２５９）を有する。遠位側に向けられた開口部（２５９）は六角形であり、同じく六角形である（図８）、ドライバアクチュエータ（２６４）の近位端（２６３）を受容する。軸（２７３）はまた、半円形である近位側に向けられた開口部（図示せず）を有し、モータ（２８０）から遠位側に延びる駆動軸（２８７）を補完し、受容する。第２の歯車（２７６）を軸（２６３、２８７）と結合するために、軸（２６３、２８７）のその他の好適な形状及び構成が用いられてもよい。
【００４４】
第２の歯車（２７６）のスプライン（２７５）は軸（２７３）の近位端上に位置付けられ、遠位側に延びる。スプライン（２７５）は第１の歯車（２７８）の歯（２７７）に対応し、それにより、スプライン（２７５）は、歯（２７７）の間に画定された凹部内に嵌合するように構成される。一対の環状フランジ（２５８）が軸（２７３）の遠位端に位置付けられて外向きに延び、ハンドルハウジング（２７２）の内向きに延びる環状リブ（２５３）と係合し、それにより、ハンドルハウジング（２７２）内の第２の歯車（２７６）の長手方向位置を固定する。環状リブ（２５３）はハンドルハウジング（２７２）内の第２の歯車（２７６）の長手方向位置を固定するが、それにもかかわらず、環状リブ（２５３）は、第２の歯車（２７６）がハンドルハウジング（２７２）に対して回転することを許す。本明細書における教示に基づき、第２の歯車（２７６）を長手方向に固定するためのその他の好適な係合機構が当業者には明らかであろう。
【００４５】
第１の歯車（２７８）は、図１１Ａ〜図１１Ｂに示されるように、第２の歯車（２７６）の周囲に位置付けられる。第１の歯車（２７８）はモータハウジング（２７４）の遠位端に固定して結合され、それにより、第１の歯車（２７８）はモータハウジング（２７４）とともに一体的に並進し、回転する。図１１Ｂ及び図１７Ａに示されるように、モータハウジング（２７４）が近位位置にあるときには、モータ（２８０）及び第１の歯車（２７８）も近位位置にある。この位置では、モータ（２８０）の駆動軸（２８７）は第２の歯車（２７６）から係合解除され、第１の歯車（２７８）の歯（２７７）は第２の歯車（２７６）はスプライン（２７５）と係合する。それゆえ、回転ノブ（２９８）が回転すると、モータハウジング（２７４）及び第１の歯車（２７８）も回転する。その結果、この位置付けは、以下において更に詳細に説明されるように、ステープル留めヘッドアセンブリ（２２０）の手動作動を提供する。第１の歯車（２７８）の歯（２７７）がスプライン（２７５）と係合すると、その結果、回転ノブ（２９８）は第２の歯車（２７６）をモータハウジング（２７４）に対して回転させる。図１１Ａ及び図１５Ｂに示されるように、モータハウジング（２７４）が遠位位置にあるときには、モータ（２８０）及び第１の歯車（２７８）も遠位位置にある。モータ（２８０）は軸（２８７、２７３）を介して第２の歯車（２７６）と係合する。第１の歯車（２７８）は第２の歯車（２７６）の軸（２７３）上を摺動し、スプライン（２７５）を係合解除する。それゆえ、その結果、モータ（２８０）の駆動軸（２８７）の回転が第２の歯車（２７６）を回転させる。その結果、この位置付けは、以下において更に詳細に説明されるように、ステープル留めヘッドアセンブリ（２２０）のモータ駆動作動を提供する。換言すれば、図１１Ａ及び図１５Ｂに示されるようにノブ（２９８）及びモータハウジング（２７４）が遠位位置にあるときには、モータ（２８０）が第２の歯車（２７６）を回転させる。図１１Ｂ及び図１７Ａに示されるようにノブ（２９８）及びモータハウジング（２７４）が近位位置にあるときには、ノブ（２９８）が第２の歯車（２７６）を回転させる。
【００４６】
図８〜図９を再び参照すると、第２の歯車（２７６）の遠位端はドライバアクチュエータ（２６４）に結合され、それにより、第２の歯車（２７６）の回転はドライバアクチュエータ（２６４）を回転させる。ドライバアクチュエータ（２６４）はドライバアクチュエータ（６４）と同様である。したがって、第２の歯車（２７６）が回転されると、ドライバアクチュエータ（２６４）は、アンビル（２４０）とステープル留めヘッドアセンブリ（２２０）との間の間隙距離ｄを調整するように回転される。ハンドルハウジング（２７２）は発射リング（２５２）及び結合部材（２６８）を更に含む。結合部材（２６８）は、図８に示されるように、ドライバアクチュエータ（２６４）の凹部（２６１）を囲むようにして固定される。したがって、結合部材（２６８）はドライバアクチュエータ（２６４）とともに並進するが、ドライバアクチュエータ（２６４）は結合部材（２６８）内で自由に回転する。結合部材（２６８）は、結合部材（２６８）を発射リング（２５２）に接続する外向きに延びる突出部を含む。結合部材（２６８）の突出部は、図１４に示されるように、ハウジングアセンブリ（２７２）のスロット（２６５、２６６、２６７）を貫いて延出する。スロット（２６５）は、ハンドルアセンブリ（２７２）の部分の周りに円周方向に延びる。スロット（２６６）は、スロット（２６５）から近位側に延びる。スロット（２６７）は、スロット（２６６）から横に延び、スロット（２６５）と実質的に平行である。発射リング（２５２）は、ハンドルハウジング（２７２）の周囲に巻かれ、結合部材（２６８）の突出部をスロット（２６５、２６６、２６７）を通して手動で駆動するために、ハンドルハウジング（２７２）に対して回転可能かつ並進可能になっている。
【００４７】
発射リング（２５２）が遠位位置にあるときには、結合部材（２６８）の突出部は、ハンドルハウジング（２７２）のスロット（２６５）内に位置付けられる。結合部材（２６８）がスロット（２６５）内に位置付けられるときには、結合部材（２６８）は、ドライバアクチュエータ（２６４）をアンビル（２４０）とステープル留めヘッドアセンブリ（２２０）との間の間隙距離ｄを調整するように動作可能であるステープル留めヘッドアセンブリ（２２０）内の機構と結合する。例えば、結合部材（２６８）がスロット（２６５）内で時計回りに回転された場合には、間隙距離ｄは減少され、アンビル（２４０）をステープル留めヘッドアセンブリ（２２０）に対して閉じる。結合部材（２６８）がスロット（２６５）内で反時計回りに回転された場合には、間隙距離ｄは増大され、アンビル（２４０）をステープル留めヘッドアセンブリ（２２０）に対して開く。結合部材（２６８）を遠位側に付勢するために、弾性部材（２６９）が結合部材（２６８）の近位側に位置付けられる（図８）。次に、発射リング（２５２）の結合部材（２６８）はスロット（２６６）を通ってスロット（２６７）へ近位側に並進されてもよい。発射リング（２５２）が近位位置にあるときには、結合部材（２６８）の突出部はスロット（２６７）内に位置付けられる。結合部材（２６８）がスロット（２６７）内に位置付けられるときには、結合部材（２６８）はドライバアクチュエータ（２６４）を、ドライバアクチュエータ（２６４）の回転に応じてナイフ（３６）及びステープル（６６）を駆動するステープル留めヘッドアセンブリ（２２０）内の機構と結合する。例えば、結合部材（２６８）がスロット（２６７）内で時計回りに回転された場合には、ステープル留めヘッドアセンブリ（２２０）はナイフ（３６）及びステープル（６６）を駆動する。スロット（３６７）の構成は、結合部材（２６８）が反時計回りに回転されることを防止する。本明細書における教示に鑑みれば、その他の好適な結合部材（２６８）の回転の構成が当業者には明らかであろう。
【００４８】
図９に示されるように、スイッチ（２４８）がハンドルハウジング（２７２）内に結合部材（２６８）と整列するように位置付けられる。モータ駆動動作モードが選択されているときには、スイッチ（２４８）は、スイッチ（２４８）が押されているときには、モータ（２８０）及び電池（２８１）を電気結合するように構成され、スイッチ（２４８）は、スイッチ（２４８）が押されていないときには、モータ（２８０）及び電池（２８１）を電気的に切り離すように構成される。結合部材（２６８）は、結合部材（２６８）が回転されると、スイッチ（２４８）と係合し、それを押すように構成される。例えば、結合部材（２６８）が中立位置にあるときには（例えば、結合部材（２６８）がそれぞれのスロット（２６６）と整列しているときには）、スイッチ（２４８）は押されず、モータ（２８０）は電池（２８１）から切り離される。結合部材（２６８）が中立位置から離れる方向に回転されると、結合部材（２６８）はスイッチ（２４８）と係合してスイッチ（２４８）を押し、モータ（２８０）を電池（２８１）と結合して器具（２１０）を動作させる。ハウジング（２７２）は３つのスイッチ（２４８）を含んでもよいことを理解されたい。例えば、１つのスイッチ（２４８）は、発射リング（２５２）が近位位置にある間に（例えば、結合部材（２６８）がスロット（２６７）内にある状態で）時計回りに回転された際の稼動のために位置付けられ、別のスイッチ（２４８）は、発射リング（２５２）が遠位位置にある間に（例えば、結合部材（２６８）がスロット（２６５）内にある状態で）時計回りに回転された際の稼動のために位置付けられ、更に別のスイッチ（２４８）は、発射リング（２５２）が遠位位置にある間に反時計回りに回転された際の稼動のために位置付けられてもよい。制御論理が、発射リング（２５２）が遠位位置にある間に回転された際に稼動されるスイッチ（２４８）と連絡してもよい。このような制御論理は、モータ（２８０）による回転の方向を選択的に逆転させ、それにより、発射リング（２５２）が回転される方向に依存して、間隙距離ｄを調整するためにトロカール（２３８）及びアンビル（２４０）の選択的前進又は後退を提供するように動作可能であってもよい。
【００４９】
発射リング（２５２）及び結合部材（２６８）は、ドライバアクチュエータ（２６４）をアンビルクランプモード（結合部材（２６８）が遠位位置にあるとき）から切断／ステープル留めモード（結合部材（２６８）が近位位置にあるとき）へ移動させるためのクラッチコントロールの役割を果たすことを理解されたい。ドライバアクチュエータ（２６４）の位置付けのこのような変更に応じるステープル留めヘッドアセンブリ（２２０）の一例が、「Ｍｏｔｏｒ  Ｄｒｉｖｅｎ  Ｒｏｔａｒｙ  Ｉｎｐｕｔ  Ｃｉｒｃｕｌａｒ  Ｓｔａｐｌｅｒ  ｗｉｔｈ  Ｍｏｄｕｌａｒ  Ｅｎｄ  Ｅｆｆｅｃｔｏｒ」と題し、本出願と同日付で出願された、米国特許出願第［弁護士整理番号ＥＮＤ７１６１ＵＳＮＰ．０５９７９２２］号に開示されている。同出願の開示は本明細書において参照により組み込まれている。本明細書の教示に鑑みれば、ステープル留めヘッドアセンブリ（２２０）がとり得る他の好適な形態が当業者には明らかであろう。アクチュエータハンドルアセンブリ（２７０）には外側管状部材（２６２）が結合される。外側管状部材（２６２）は外側管状部材（６２）と同様であり、ステープル留めヘッドアセンブリ（２２０）とハンドルアセンブリ（２７０）との間のメカニカルグラウンドを提供する。
【００５０】
１．モータ駆動動作
図１５Ａ〜図１５Ｃはモータ駆動動作中の器具（２１０）を示す。図１５Ａは、アンビル（２４０）がトロカール（２３８）に結合されている様子を示す。アンビル（２４０）は、アンビル（４０）及びトロカール（３８）に関して上述したものと同様の仕方でトロカール（２３８）と結合する。モータ駆動動作が選択されているときには、回転ノブ（２９８）は遠位位置にある。遠位位置では、回転ノブ（２９８）のスプライン（２９６）はハンドルハウジング（２７２）内の対応する歯（２５１）と係合し、回転ノブ（２９８）をハンドルハウジング（２７２）に対して回転しないようにロックする。回転ノブ（２９８）が遠位位置にあるときには、モータハウジング（２７４）も遠位位置にある。モータハウジング（２７４）が遠位位置にあるときには、ばね接点（２８３、２８５）は環状接点（２８４、２８６）と整列し、電池（２８１）の電気接点（２３１）をモータ（２８０）の電気接点（２３３）と結合する。結合部材（２６８）が回転され、スイッチ（２４８）を押すと、電池（２８１）からモータ（２８０）へ電力が供給される。モータ（２８０）は軸（２８７、２７３）を介して第２の歯車（２７６）と係合され、第１の歯車（２７８）はスプライン（２７５）から係合解除され、それにより、第２の歯車（２７６）が第１の歯車（２７８）、モータハウジング（２７４）、及びハンドルハウジング（２７２）に対して回転することを許す。結合部材（２６８）の突出部は遠位側にハンドルハウジング（２７２）のスロット（２６５）内に位置付けられ、発射リング（２５２）及びドライバアクチュエータ（２６４）の長手方向位置をロックする。
【００５１】
図１５Ｂに示されるように、発射リング（２５２）は時計回りに回転され、結合部材（２６８）をスロット（２６７）内で並進させる。結合部材（２６８）が回転されると、スイッチ（２４８）が押され、モータ（２８０）及び電池（２８１）を結合し、モータ（２８０）に電力を供給する。それゆえ、モータ（２８０）が稼動され、軸（２８７）を回転させる。その結果、軸（２８７）は第２の歯車（２７６）を回転させる。第２の歯車（２７６）はドライバアクチュエータ（２６４）に結合されているので、第２の歯車（２７６）の回転はドライバアクチュエータ（２６４）も回転させる。ドライバアクチュエータ（２６４）のこの回転は、アンビル（２４０）とステープル留めヘッドアセンブリ（２２０）との間の間隙距離ｄを調整するためのステープル留めヘッドアセンブリ（２２０）内の機構を駆動する。アンビル（２４０）がステープル留めヘッドアセンブリ（２２０）に対する所望の位置に来ると、発射リング（２５２）は中立位置へ反時計回りに回転され、スイッチ（２４８）を解放し、それにより、モータ（２８０）は電池（２８１）から切り離される。次に、図１５Ｃに示されるように、器具（２１０）は発射されてもよい。発射リング（２５２）を並進させ、結合部材（２６８）をスロット（２６５）の中からスロット（２６７）内の近位位置に位置付ける。結合部材（２６８）がスロット（２６７）まで近位側に並進されると、結合部材（２６８）はドライバアクチュエータ（２６４）も近位側に並進させ、ドライバアクチュエータ（２６４）を、ナイフ（３６）を遠位側に打ち込み、クランプされた組織（２、４）をステープル留めして吻合を作り出すべくステープル（６６）をアンビル（２４０）内に打ち込むように動作可能であるステープル留めヘッドアセンブリ（２２０）内の機構と結合する。発射リング（２５２）はスロット（２６７）内で時計回りに回転され、スイッチ（２４８）を押して電池（２８１）をモータ（２８０）と再び結合し、モータ（２８０）に電力を供給する。結合部材（２６８）及びドライバアクチュエータ（２６４）が近位位置にある状態で、モータ（２８０）は再び回転される。この回転は駆動軸（２８７）及び第２の歯車（２７６）を介してドライバアクチュエータ（２６４）へ伝達され、それにより、ドライバアクチュエータ（２６４）へ伝達され、組織（２、４）を切断し、ステープル留めする。次に、発射リング（２５２）はスロット（２６７）内で中立位置まで反時計回りに回転され、スイッチ（２４８）を解放し、モータ（２８０）を電池（２８１）から切り離す。
【００５２】
２．動作モードの選択
図１６に示されるように、器具（２１０）はモータ駆動動作から手動動作に切り換えられる。ユーザは回転ノブ（２９８）を握り、回転ノブ（２９８）を遠位位置から近位位置へ並進させてもよい。近位位置では、回転ノブ（２９８）のスプライン（２９６）はハンドルハウジング（２７２）内の対応する歯（２５１）から係合解除し、回転ノブ（２９８）がハンドルハウジング（２７２）に対して回転することを許す。これは、モータハウジング（２７４）及び第１の歯車（２７８）がハンドルハウジング（２７２）に対して回転することも許す。回転ノブ（２９８）が近位位置にあるときには、モータハウジング（２７４）も近位位置にある。モータハウジング（２７４）が近位位置にあるときには、ばね接点（２８３、２８５）は環状接点（２８４、２８６）からずらされ、電池（２８１）をモータ（２８０）から切り離し、それにより、電力はモータ（２８０）に供給されない。第１の歯車（２７８）は近位側に並進し、第２の歯車（２７６）のスプライン（２７５）と係合する。その結果、回転ノブ（２９８）の回転が、モータハウジング（２７４）、第１の歯車（２７８）、第２の歯車（２７６）、及びドライバアクチュエータ（２６４）を回転させる。ユーザはまた、モータ駆動動作を再選択するために回転ノブ（２９８）を遠位側に押し戻してもよい。回転ノブ（２９８）を、モータ駆動動作と手動動作との間で選択を行うためのアクチュエータとして用いることによって、ロックアウト又はスイッチがモータ（２８０）への電力を同時に除去する必要性が解消される。それゆえ、回転ノブ（２９８）は、器具（２１０）が手動動作モードで完全に動作することを可能にすると同時に、モータ駆動動作の「脱出」システムを提供する。したがって、たとえ、操作者は最初、器具（２１０）をモータ駆動モードで使用していても、操作者は、器具（２１０）の基本的機能性を犠牲にすることなく、単に回転ノブ（２９８）を引くことによって器具（２１０）を素早く容易に手動動作モードに変えることができることを理解されたい。
【００５３】
３．手動動作
図１７Ａ〜図１７Ｃは手動動作中の器具（２１０）を示す。図１７Ａは、アンビル（２４０）がトロカール（２３８）に結合されている様子を示す。上述したように、回転ノブ（２９８）は近位位置にある。図１７Ｂに示されるように、回転ノブ（２９８）を回転させ、モータハウジング（２７４）をハンドルハウジング（２７２）に対して回転させる。これにより、モータハウジング（２７４）は第１の歯車（２７８）を回転させる。第１の歯車（２７８）はスプライン（２７５）と係合し、第２の歯車（２７６）を回転させる。第２の歯車（２７６）はドライバアクチュエータ（２６４）に結合されているので、第２の歯車（２７６）の回転はドライバアクチュエータ（２６４）も回転させる。ドライバアクチュエータ（２６４）のこの回転は、アンビル（２４０）とステープル留めヘッドアセンブリ（２２０）との間の間隙距離ｄを調整するためのステープル留めヘッドアセンブリ（２２０）内の機構を回転させる。図１７Ｃに示されるように、アンビル（２４０）がステープル留めヘッドアセンブリ（２２０）に対する所望の位置に来ると、器具（２１０）は発射されてもよい。発射リング（２５２）を遠位位置からスロット（２６５）の外へ、スロット（２６７）による近位位置まで並進させる。結合部材（２６８）がスロット（２６７）まで近位側に並進されると、結合部材（２６８）はドライバアクチュエータ（２６４）も近位側に並進させ、ドライバアクチュエータ（２６４）を、ナイフ（３６）を遠位側に打ち込み、クランプされた組織（２、４）をステープル留めして吻合を作り出すべくステープル（６６）をアンビル（２４０）内に打ち込むように動作可能であるステープル留めヘッドアセンブリ（２２０）内の機構と結合する。結合部材（２６８）及びドライバアクチュエータ（２６４）が近位位置にある状態で、回転ノブ（２９８）は再び回転される。この回転は第１の歯車（２７８）及び第２の歯車（２７６）を介してドライバアクチュエータ（２６４）へ伝達され、それにより、ドライバアクチュエータ（２６４）へ伝達され、組織（２、４）を切断し、ステープル留めする。
【００５４】
４．制御アセンブリ
図１８は、器具（２１０）とともに用いるための代表的な制御アセンブリ（２２８）を示す。制御アセンブリ（２２８）は、センサ（２２２）、制御モジュール（２２４）、及びフィードバック機構（２２６）を備える。フィードバック機構（２２６）は、視覚フィードバック、音声フィードバック、及び／又は触覚フィードバック（ＬＥＤ灯、ＬＥＤディスプレイ、スピーカ、振動発生器等）を提供するように動作可能であってもよい。センサ（２２２）は器具（２１０）に結合され、器具（２１０）のドライブトレイン内の運動を検出するように構成される。例えば、センサ（２２２）は、ドライバアクチュエータ（２６４）、又はドライブトレインの何らかの他の回転する構成要素（例えば、回転するが、同様に並進はしない構成要素）の回転を検出するために位置付けられるエンコーダを含んでもよい。センサ（２２２）は制御モジュール（２２４）と結合され、検知された信号を制御モジュール（２２４）に提供する。制御モジュール（２２４）は、検知された信号を処理するように構成され、器具（２１０）の選択された動作モード、アンビル（２４０）とステープル留めヘッドアセンブリ（２２０）との間の間隙距離ｄ、及び／又はナイフ（３６）及びステープル（６６）の発射を判定してもよい。本例では、制御モジュール（２２４）は器具（２１０）及びフィードバック機構（２２６）と結合される。しかし、制御モジュール（２２４）は器具（２１０）又はフィードバック機構（２２６）のどちらかと結合されてもよい。制御モジュール（２２４）はまた、スイッチ（２４８）が押されるとモータ（２８０）を作動させるためのスイッチ（２４８）と結合されてもよい。センサ（２２２）、制御モジュール（２２４）、及びフィードバック機構（２２６）のそれぞれは器具（２１０）内又は器具（２１０）から遠隔に位置してもよい。
【００５５】
検知された信号に基づき、制御モジュール（２２４）は、器具（２１０）及び／又はフィードバック機構（２２６）を作動させるように動作可能である。例えば、制御モジュール（２２４）は、器具（２１０）の選択された動作モードを指示するためにフィードバック機構（２２６）を作動させてもよい。いくつかの変形例では、フィードバック機構（２２６）は、モータ駆動動作モードに対応する第１のＬＥＤ、及び手動動作モードに対応する第２のＬＥＤを有してもよい。センサ（２２２）は回転ノブ（２９８）及び／又はモータハウジング（２７４）の近位位置及び／又は遠位位置を検出し、情報を制御モジュール（２２４）に提供してもよい。次に、制御モジュール（２２４）は、センサ（２２２）が近位位置を検出した場合には、モータ駆動動作モードが選択されていることを指示するために、第１のＬＥＤを光らせてもよい。制御モジュール（２２４）は、センサ（２２２）が遠位位置を検出した場合には、手動動作モードが選択されていることを指示するために、第２のＬＥＤを光らせてもよい。代替的に、フィードバック機構（２２６）は、動作モードを指示するために光らせるか若しくは光らせないかのどちらかのただ１つのＬＥＤを有してもよいか、又はフィードバック機構（２２６）は、動作モードが変更された際に音を提供するためのスピーカを有してもよい。
【００５６】
いくつかの変形例では、制御モジュール（２２４）は、ステープル留めアセンブリ（２２０）の選択されたモードを指示するためにフィードバック機構（２２６）を作動させてもよい。フィードバック機構（２２６）は、組織クランプモードに対応する第１のＬＥＤ、及び発射モードに対応する第２のＬＥＤを有してもよい。センサ（２２２）は、発射リング（２５２）、結合部材（２６８）及び／又はドライバアクチュエータ（２６４）の近位位置及び／又は遠位位置を検出し、情報を制御モジュール（２２４）に提供してもよい。次に、制御モジュール（２２４）は、センサ（２２２）が遠位位置を検出した場合には、組織クランプモードが選択されていることを指示するために、第１のＬＥＤを光らせてもよい。制御モジュール（２２４）は、センサ（２２２）が近位位置を検出した場合には、発射モードが選択されていることを指示するために、第２のＬＥＤを光らせてもよい。代替的に、フィードバック機構（２２６）は、ステープル留めヘッドアセンブリ（２２０）のモードを指示するために光らせるか若しくは光らせないかのどちらかのただ１つのＬＥＤを有してもよいか、又はフィードバック機構（２２６）は、ステープル留めヘッドアセンブリ（２２０）のモードが変更された際に音を提供するためのスピーカを有してもよい。
【００５７】
加えて、又は代わりに、制御モジュール（２２４）は、アンビル（２４０）とステープル留めヘッドアセンブリ（２２０）との間の間隙距離ｄを指示するためにフィードバック機構（２２６）を作動させてもよい。センサ（２２２）はドライバアクチュエータ（２６４）の回転数を検出してもよい。次に、制御モジュール（２２４）は、検知された信号に基づき間隙距離ｄを判定し、フィードバック機構（２２６）を作動させてもよい。フィードバック機構（２２６）は、間隙距離ｄを指示するために個々に光る複数のＬＥＤを備えてもよい。間隙距離ｄが増大するにつれて、ＬＥＤは、間隙距離ｄに対応するように光ってもよい。間隙距離ｄが減少するにつれて、ＬＥＤは、間隙距離ｄに対応するように消えてもよい。別の単なる例示の例として、フィードバック機構（２２６）は、間隙距離ｄのリアルタイム指示を提供するＬＥＤディスプレイ画面を備えてもよい。フィードバック機構（２２６）はまた、音高又は音量のどちらかが変化する音を発し、対応する間隙距離ｄを指示するスピーカを有してもよい。代替的に、特定の間隙距離ｄに達した時にそれを指示するために１つのＬＥＤが用いられてもよいか、又は特定の間隙距離ｄに達した時に音が提供されてもよい。
【００５８】
フィードバック機構（２２６）が、触覚フィードバックを操作者に提供する能力を含む変形例では、このような触覚フィードバックを提供するために種々の従来の構成要素がハンドルアセンブリ（２７０）内に組み込まれてもよいことを理解されたい。触覚フィードバックはモータ（２８０）を通じて提供されてもよいことも理解されたい。単なる一例として、フィードバック機構（２２６）は、正弦波信号をモータ（２８０）に提供し、本質的に、駆動軸（２８７）を時計回りに若干回転させ、その後、すぐにそれを反時計回りに全く同じ量、若干回転させるように構成されてもよい。正味の結果は駆動軸（２８７）の０の回転変位となるであろう。このシーケンスが（例えば、高速で連続的に）繰り返されると、駆動軸（２８７）の運動によって、ハンドルアセンブリ（２７０）は、操作者が、ハンドルアセンブリ（２７０）を握る手を通じてそれを感じるのに十分に振動するか又は別の仕方で震え得る。このフィードバックアルゴリズムを通じた駆動軸（２８７）の０の正味運動によって、ドライバアクチュエータ（２６４）は遠位位置にあるのか、それとも近位位置にあるのかにかかわらず、触覚フィードバックはヘッドアセンブリ（２２０）内のいずれのものの正味作動も生じさせなくてすむ。このような触覚フィードバックは、ステープル留めストロークの終わりを指示するため、ロックアウト状態を指示するため、及び／又は何らかの他の状態を指示するために提供されてもよい。本明細書における教示に鑑みれば、音声フィードバック、視覚フィードバック、及び／又は触覚フィードバックが提供され得る様々な他の好適な方法が当業者には明らかであろう。
【００５９】
いくつかの変形例では、制御モジュール（２２４）は器具（２１０）を作動させてもよい。センサ（２２２）は、ナイフ（３６）及びステープル（６６）が発射された際にそれを検出するように構成されてもよい。それゆえ、ナイフ（３６）及びステープル（６６）が発射されると、制御モジュール（２２４）はモータ（２８０）を自動的に逆転させてもよい。制御モジュール（２２４）はまた、器具（２１０）が発射されたことをユーザに指示するためにフィードバック機構（２２６）を作動させてもよい。本明細書における教示に鑑みれば、センサ（２２２）、制御モジュール（２２４）、及びフィードバック機構（２２６）が用いられ得るその他の好適な方法が当業者には明らかであろう。所望の場合にはこのような機構は単に省かれてもよいことも理解されたい。
【００６０】
Ｂ．代表的な切り換えアセンブリ
上述したように、外科用ステープル留め器具（１０、２１０）は、吻合を作り出すために、２つのサブシステム、（組織をアンビル（４０、２４０）とステープル留めヘッドアセンブリ（２０、２２０）との間でクランプするための）閉鎖サブシステム、並びに（ナイフ（３６）及びステープル（６６）をアンビル（４０、２４０）に向かって遠位側に打ち込むための）発射サブシステム、を有する。追加のモータ及び伝動装置のコスト及び実装を無くすために、単一の回転モータを用いて両方のサブシステムに動力を供給することが望ましい場合がある。図１９〜図２０は、単一の回転モータ（３８０）を用いて２つのサブシステムに動力を供給するように構成される代表的な駆動アセンブリ（３７１）を示す。器具（２１０）は単一の回転駆動軸を用いて閉鎖及び発射を提供したが、この例の駆動アセンブリ（３７１）は、単一のモータ（３８０）によって駆動される２本の別個の回転駆動軸を通じて閉鎖及び発射を提供する。駆動アセンブリ（３７１）は、モータ（３８０）、伝動軸（３９２）、ソレノイド（３９０）、閉鎖ロッド（３６４）、及び発射ロッド（３６２）を含む。モータ（３８０）は、モータ（３８０）から延びる軸（３６８）、及び軸（３６８）に結合される歯車（３７０）を含む。伝動軸（３９２）は、モータ（３８０）の歯車（３７０）と係合する歯車（３７２）を含む。伝動軸（３９２）の反対側の端部上に歯車（３７７）が位置付けられる。
【００６１】
図１８に示されるように、枢動するスイングアーム（３９１）が伝動軸（３９２）の周囲に巻かれ、伝動軸（３９２）はスイングアーム（３９１）に対して自由に回転し得るようにしている。スイングアーム（３９１）は伝動軸（３９２）から延び、歯車（３７６）を含む。歯車（３７６）はスイングアーム（３９１）にしっかり固定されている。ピン（３９４）がスイングアーム（３９１）から延び、歯車（３７６）と同軸になっている。ピン（３９４）はブラケット（３９３）によって枢動可能に支持され、それにより、スイングアーム（３９１）は、歯車（３７６）の回転に応じてブラケット（３９３）に対してピン（３９４）を中心として枢動可能である。ソレノイド（３９０）は、ラック（３７１）に結合される歯車（３７４）を含む。ラック（３７１）はまた、スイングアーム（３９１）の歯車（３７６）と係合する歯車（３７５）に結合される。代替的に、ソレノイド（３９０）の歯車（３７４）はスイングアーム（３９１）の歯車（３７６）に直接結合してもよい。閉鎖ロッド（３６４）は歯車（３７８）を含む。発射ロッド（３６２）は閉鎖ロッド（３６４）に隣接してそれと実質的に平行に位置付けられる。発射ロッド（３６２）は歯車（３７９）を含む。伝動軸（３９２）の歯車（３７７）は、閉鎖ロッド（３６４）の歯車（３７８）又は発射ロッド（３６２）の歯車（３７９）のどちらかと係合するために選択的に振れる。
【００６２】
図１９〜図２０に示されるように、伝動軸（３９２）は、閉鎖ロッド（３６４）と係合するように位置付けられる。その結果、モータ（３８０）が稼動されると、軸（３６８）は歯車（３７０）を回転させる。それにより、歯車（３７０）は歯車（３７２）及び伝動軸（３９２）を回転させ、歯車（３７７）を回転させる。歯車（３７７）は歯車（３７８）と係合しているため、それにより、伝動軸（３９２）は閉鎖ロッド（３６４）を回転させる。閉鎖ロッド（３６４）は、アンビル（４０、２４０）とステープル留めヘッドアセンブリ（２０、２２０）との間の間隙距離ｄを調整するために用いられてもよい。ユーザが発射サブシステムに切り換えたいと所望する場合には、ソレノイド（３９０）が作動されてもよい。ソレノイド（３９０）が作動されると、ソレノイド（３９０）は歯車（３７４）を回転させ、ラック（３７１）を並進させる。すると、ラック（３７１）は歯車（３７５）及びスイングアーム（３９１）の歯車（３７６）を回転させる。それにより、歯車（３７６）はスイングアーム（３９１）を枢動させる。スイングアーム（３９１）が枢動するにつれて、スイングアーム（３９１）は伝動軸（３９２）を並進させ、それにより、伝動軸（３９２）は閉鎖ロッド（３６４）を係合解除し、発射ロッド（３６２）と係合する。その結果、モータ（３８０）が稼動されると、軸（３６８）は歯車（３７０）を回転させる。それにより、歯車（３７０）は歯車（３７２）及び伝動軸（３９２）を回転させ、歯車（３７７）を回転させる。歯車（３７７）は今度は歯車（３７９）と係合しているため、それにより、伝動軸（３９２）は発射ロッド（３６２）を回転させる。発射ロッド（３６４）は、ナイフ（３６）及びステープル（６６）をアンビル（４０、２４０）に向かって遠位側に打ち込むために用いられてもよい。その後、ソレノイド（３９０）は、切り換えアセンブリ（３７１）がスイングアーム（３９１）を介して閉鎖サブシステムに切り換えるように再び作動されてもよい。
【００６３】
ソレノイド（３９０）はボタンで稼動されるか又はさもなければ手動で稼動されてもよい。代替的に、切り換えアセンブリ（３７１）は、ソレノイド（３９０）が自動的に稼動されるように、論理を組み込んでもよい。例えば、ユーザは、図１９に示されるように、ユーザ入力（３１０）を制御モジュール（３１２）に入力することによって駆動アセンブリ（３７１）を作動させてもよい。制御モジュール（３１２）はモータ（３８０）及びソレノイド（３９０）に結合され、ユーザ入力（３１０）に基づきモータ（３８０）及び／又はソレノイド（３９０）を選択的に作動させる。制御モジュール（３１２）は器具（１０、２１０）と一体であってもよいか、又は制御モジュール（３１２）は別個のアセンブリであってもよい。本明細書における教示を鑑みれば、好適な制御モジュール（３１２）の構成が当業者には明らかであろう。
【００６４】
ＩＩＩ．その他
本明細書で述べる教示、表現、実施形態、実施例などのうちのいずれか１つ又は２つ以上は、本明細書で述べるその他の教示、表現、実施形態、実施例などのいずれか１つ又は２つ以上と組み合わせることができることを理解されたい。上述した教示、表現、実施形態、実施例などはしたがって、互いに対して分離して考慮されるべきではない。本明細書の教示を組み合わせ得る種々の適切な方法が、本明細書の教示を考慮することで、当業者には容易に明らかになるであろう。こうした変更形態及び変形形態は、特許請求の範囲内に含まれるものとする。
【００６５】
本明細書における教示のうちの少なくともいくつかは、「Ｓｕｒｇｉｃａｌ  Ｓｔａｐｌｅｓ  Ｈａｖｉｎｇ  Ｃｏｍｐｒｅｓｓｉｂｌｅ  ｏｒ  Ｃｒｕｓｈａｂｌｅ  Ｍｅｍｂｅｒｓ  ｆｏｒ  Ｓｅｃｕｒｉｎｇ  Ｔｉｓｓｕｅ  Ｔｈｅｒｅｉｎ  ａｎｄ  Ｓｔａｐｌｉｎｇ  Ｉｎｓｔｒｕｍｅｎｔｓ  ｆｏｒ  Ｄｅｐｌｏｙｉｎｇ  ｔｈｅ  Ｓａｍｅ」と題し、２０１０年９月１４日に発行された、米国特許第７，７９４，４７５号の１つ又は２つ以上の教示と容易に組み合わせることができる。同特許の開示は本明細書において参照により組み込まれている。それらの教示を組み合わせることのできる様々な適切な方法は、当業者には明白であろう。
【００６６】
同様に、本明細書における教示のうちの少なくともいくつかは、「Ｔｒａｎｓ−Ｏｒａｌ  Ｃｉｒｃｕｌａｒ  Ａｎｖｉｌ  Ｉｎｔｒｏｄｕｃｔｉｏｎ  Ｓｙｓｔｅｍ  ｗｉｔｈ  Ｄｉｌａｔｉｏｎ  Ｆｅａｔｕｒｅ」と題し、２０１２年１２月４日に出願された、米国特許出願第１３／６９３，４３０号の１つ又は２つ以上の教示と容易に組み合わせることができる。同出願の開示は本明細書において参照により組み込まれている。それらの教示を組み合わせることのできる様々な適切な方法は、当業者には明白であろう。
【００６７】
同様に、本明細書における教示のうちの少なくともいくつかは、「Ｓｕｒｇｉｃａｌ  Ｓｔａｐｌｅ  ｗｉｔｈ  Ｉｎｔｅｇｒａｌ  Ｐｌｅｄｇｅｔ  ｆｏｒ  Ｔｉｐ  Ｄｅｆｌｅｃｔｉｏｎ」と題し、２０１２年１１月２９日に出願された、米国特許出願第１３／６８８，９５１号の１つ又は２つ以上の教示と容易に組み合わせることができる。同出願の開示は本明細書において参照により組み込まれている。それらの教示を組み合わせることのできる様々な適切な方法は、当業者には明白であろう。
【００６８】
同様に、本明細書における教示のうちの少なくともいくつかは、「Ｓｕｒｇｉｃａｌ  Ｓｔａｐｌｅｒ  ｗｉｔｈ  Ｖａｒｙｉｎｇ  Ｓｔａｐｌｅ  Ｗｉｄｔｈｓ  Ａｌｏｎｇ  Ｄｉｆｆｅｒｅｎｔ  Ｃｉｒｃｕｍｆｅｒｅｎｃｅｓ」と題し、２０１２年１２月６日に出願された、米国特許出願第１３／７０６，８２７号の１つ又は２つ以上の教示と容易に組み合わせることができる。同出願の開示は本明細書において参照により組み込まれている。それらの教示を組み合わせることのできる様々な適切な方法は、当業者には明白であろう。
【００６９】
同様に、本明細書における教示のうちの少なくともいくつかは、「Ｐｉｖｏｔｉｎｇ  Ａｎｖｉｌ  ｆｏｒ  Ｓｕｒｇｉｃａｌ  Ｃｉｒｃｕｌａｒ  Ｓｔａｐｌｅｒ」と題し、２０１２年１１月２９日に出願された、米国特許出願第１３／６８８，９９２号の１つ又は２つ以上の教示と容易に組み合わせることができる。同出願の開示は本明細書において参照により組み込まれている。それらの教示を組み合わせることのできる様々な適切な方法は、当業者には明白であろう。
【００７０】
同様に、本明細書における教示のうちの少なくともいくつかは、「Ｃｉｒｃｕｌａｒ  Ａｎｖｉｌ  Ｉｎｔｒｏｄｕｃｔｉｏｎ  Ｓｙｓｔｅｍ  ｗｉｔｈ  Ａｌｉｇｎｍｅｎｔ  Ｆｅａｔｕｒｅ」と題し、２０１２年１２月４日に出願された、米国特許出願第１３／６９３，４５５号の１つ又は２つ以上の教示と容易に組み合わせることができる。同出願の開示は本明細書において参照により組み込まれている。それらの教示を組み合わせることのできる様々な適切な方法は、当業者には明白であろう。
【００７１】
同様に、本明細書における教示のうちの少なくともいくつかは、「Ｃｉｒｃｕｌａｒ  Ｓｔａｐｌｅｒ  ｗｉｔｈ  Ｓｅｌｅｃｔａｂｌｅ  Ｍｏｔｏｒｉｚｅｄ  ａｎｄ  Ｍａｎｕａｌ  Ｃｏｎｔｒｏｌ」と題し、本出願と同日付で出願された、米国特許出願第米国特許出願第［弁護士整理番号ＥＮＤ７１５９ＵＳＮＰ．０５９７９２０］号の１つ又は２つ以上の教示と容易に組み合わせることができる。同出願の開示は本明細書において参照により組み込まれている。それらの教示を組み合わせることのできる様々な適切な方法は、当業者には明白であろう。
【００７２】
同様に、本明細書における教示のうちの少なくともいくつかは、「Ｍｏｔｏｒ  Ｄｒｉｖｅｎ  Ｒｏｔａｒｙ  Ｉｎｐｕｔ  Ｃｉｒｃｕｌａｒ  Ｓｔａｐｌｅｒ  ｗｉｔｈ  Ｌｏｃｋａｂｌｅ  Ｆｌｅｘｉｂｌｅ  Ｓｈａｆｔ」と題し、本出願と同日付で出願された、米国特許出願第［弁護士整理番号ＥＮＤ７１６３ＵＳＮＰ．０５９７９２２］の１つ又は２つ以上の教示と容易に組み合わせることができる。同出願の開示は本明細書において参照により組み込まれている。それらの教示を組み合わせることのできる様々な適切な方法は、当業者には明白であろう。
【００７３】
同様に、本明細書における教示のうちの少なくともいくつかは、「Ｍｏｔｏｒ  Ｄｒｉｖｅｎ  Ｒｏｔａｒｙ  Ｉｎｐｕｔ  Ｃｉｒｃｕｌａｒ  Ｓｔａｐｌｅｒ  ｗｉｔｈ  Ｌｏｃｋａｂｌｅ  Ｆｌｅｘｉｂｌｅ  Ｓｈａｆｔ」と題し、本出願と同日付で出願された、米国特許出願第［弁護士整理番号ＥＮＤ７１６３ＵＳＮＰ．０５９７９３３］の１つ又は２つ以上の教示と容易に組み合わせることができる。同出願の開示は本明細書において参照により組み込まれている。それらの教示を組み合わせることのできる様々な適切な方法は、当業者には明白であろう。
【００７４】
本明細書に参照により援用されると言及されたいかなる特許、刊行物、又は他の開示内容も、その全体又は一部において、援用された内容が現行の定義、見解、又は本開示に記載された他の開示内容とあくまで矛盾しない範囲でのみ本明細書に援用されることが認識されるべきである。このように及び必要な範囲で、本明細書に明瞭に記載されている開示は、参照により本明細書に組み込んだ任意の矛盾する事物に取って代わるものとする。本明細書に参照により組み込むと称されているが現行の定義、記載、又は本明細書に記載されている他の開示物と矛盾するいずれの事物、又はそれらの部分は、組み込まれた事物と現行の開示事物との間に矛盾が生じない範囲でのみ組み込まれるものとする。
【００７５】
上述の装置の変形例は、医療専門家によって行われる従来の治療及び処置での用途だけでなく、ロボット支援された治療及び処置での用途も有することができる。ほんの一例として、本明細書の様々な教示は、ロボットによる外科用システム、例えばＩｎｔｕｉｔｉｖｅ  Ｓｕｒｇｉｃａｌ，Ｉｎｃ．（Ｓｕｎｎｙｖａｌｅ，Ｃａｌｉｆｏｒｎｉａ）によるＤＡＶＩＮＣＩ（商標）システムに容易に組み込まれ得る。同様に、当業者には明らかとなることであるが、本明細書の様々な教示は、参照によってその開示内容が本明細書に組み込まれる、２００４年８月３１日公開の米国特許第６７８３５２４号、名称「超音波焼灼及び切断器具を備えたロボット手術用具（Ｒｏｂｏｔｉｃ  Ｓｕｒｇｉｃａｌ  Ｔｏｏｌ  ｗｉｔｈ  Ｕｌｔｒａｓｏｕｎｄ  Ｃａｕｔｅｒｉｚｉｎｇ  ａｎｄ  Ｃｕｔｔｉｎｇ  Ｉｎｓｔｒｕｍｅｎｔ）」の様々な教示と容易に組み合わされ得る。
【００７６】
上述の変形例は、１回の使用後に処分されるように設計されてもよく、あるいは、それらは、複数回使用されるように設計されることもできる。諸形態は、いずれの場合も、少なくとも１回の使用後に再使用のために再調整することができる。再調整することは、装置を分解する工程、それに続いて特定の部品を洗浄又は交換する工程、並びにその後の再組み立て工程の任意の組み合わせを含んでよい。特に、装置の変形物によっては分解されてもよく、また、装置の任意の数の特定の部片又は部品が、任意の組み合わせで選択的に交換されるか、あるいは取り外されてもよい。特定の部品の洗浄及び／又は交換の際、装置の変形物によっては、再調整用の施設で、又は外科的処置の直前にユーザによって、その後の使用のために再組み立てされてよい。装置の再調整では、分解、洗浄／交換、及び再組立のための様々な技術を利用できることが、当業者には理解されよう。このような技術の使用、及びその結果として得られる再調整された装置は、全て、本出願の範囲内にある。
【００７７】
ほんの一例として、本明細書で説明した形態は、処置の前及び／又は後に滅菌してもよい。１つの滅菌技術では、装置は、プラスチック又はＴＹＶＥＫバッグなど、閉められかつ密閉された容器に入れられる。次いで、容器及び装置は、γ放射線、Ｘ線、又は高エネルギー電子など、容器を透過し得る放射線場に置かれてもよい。放射線は、装置上及び容器内の細菌を死滅させることができる。次に、滅菌された装置は、後の使用のために、滅菌した容器内に保管され得る。装置はまた、限定されるものではないが、ベータ若しくはガンマ放射線、エチレンオキシド、又は水蒸気を含め、当該技術分野で既知の任意の他の技術を使用して滅菌されてもよい。
【００７８】
本発明の様々な実施形態について図示し説明したが、本明細書で説明した方法及びシステムの更なる改変が、当業者による適切な変更により、本発明の範囲を逸脱することなく達成され得る。そうした可能な変更形態の幾つかについて述べたが、その他の改変も当業者には明らかであろう。例えば、上で議論した例、実施形態、幾何学的形状、材料、寸法、比率、工程などは、例示的なものであり、必須ではない。したがって、本発明の範囲は、以下の「特許請求の範囲」から考慮されるべきであり、本明細書及び図面に示し説明した構造及び操作の細部に限定されると解釈されるものではない。
【００７９】
〔実施の態様〕
（１）  組織をステープル留めするための装置であって、
（ａ）ステープル留めヘッドアセンブリであって、前記ステープル留めヘッドアセンブリは、
（ｉ）組織をアンビルに当ててクランプするように動作可能である閉鎖アセンブリ、及び
（ｉｉ）少なくとも１つのステープルを、前記アンビルに向かって、組織を貫通させて打ち込むように動作可能である発射アセンブリ
を含む、ステープル留めヘッドアセンブリと、
（ｂ）前記ステープル留めヘッドアセンブリと連絡した回転駆動軸と、
（ｃ）前記回転駆動軸に結合される本体アセンブリであって、前記本体アセンブリは、組織クランプモードと発射モードとの間で選択を行うように動作可能であるモード選択器を含み、前記回転駆動軸は、前記組織クランプモードの選択に応じて前記閉鎖アセンブリを作動させるように動作可能であり、前記回転駆動軸は、前記発射モードの選択に応じて前記発射アセンブリを作動させるように動作可能である、本体アセンブリと、
を備える、装置。
（２）  前記モード選択器が、前記組織クランプモードと前記発射モードとの間で選択を行うために、前記回転駆動軸を第１の長手方向位置と第２の長手方向位置との間で並進させるように動作可能である、実施態様１に記載の装置。
（３）  前記本体アセンブリがハウジングを更に含み、前記モード選択器が、前記本体アセンブリの前記ハウジングに対して移動可能な環状部材を含む、実施態様１に記載の装置。
（４）  前記本体アセンブリの前記ハウジングが複数のスロットを更に画定し、前記モード選択器が、前記環状部材から突出するピン部材を更に含み、前記ピン部材は、前記モード選択器によるモード選択中に前記複数のスロットを横断するように構成される、実施態様３に記載の装置。
（５）  前記モード選択器が近位位置と遠位位置との間で移動可能であり、前記近位位置は前記発射モードに関連付けられ、前記遠位位置は前記組織クランプモードに関連付けられる、実施態様１に記載の装置。
【００８０】
（６）  前記モード選択器が、前記アンビルを前記ステープル留めヘッドアセンブリに対して閉じるべく前記回転駆動軸の回転をトリガするために、第１の方向に回転可能である、実施態様５に記載の装置。
（７）  前記モード選択器が、前記アンビルを前記ステープル留めヘッドアセンブリに対して開くべく前記回転駆動軸の回転をトリガするために、第２の方向に回転可能である、実施態様６に記載の装置。
（８）  前記モード選択器が、少なくとも１つのステープルを、前記ステープル留めヘッドアセンブリから前記アンビルに向かって、組織を貫通させて打ち込むべく前記回転駆動軸の回転をトリガするために、第１の方向に回転可能である、実施態様５に記載の装置。
（９）  前記発射アセンブリが、ナイフを、組織を貫通させて打ち込むように更に動作可能である、実施態様１に記載の装置。
（１０）  前記本体アセンブリがスイッチを含み、前記スイッチは、前記ステープル留めヘッドアセンブリを選択的に稼動するように構成され、前記スイッチは、前記モード選択器の回転に応じて稼動されるように位置付けられる、実施態様１に記載の装置。
【００８１】
（１１）  モータを更に備え、前記モータは前記回転駆動軸を駆動するように動作可能である、実施態様１に記載の装置。
（１２）  前記回転駆動軸の手動回転を提供するために前記モータを前記回転駆動軸から選択的に係合解除するように動作可能である手動動作選択器を更に備える、実施態様１１に記載の装置。
（１３）  制御アセンブリを更に備え、前記制御アセンブリは、
（ｉ）前記ステープル留めヘッドアセンブリの動作に関連付けられた１つ又は２つ以上の状態を検知するように構成されるセンサ、及び
（ｉｉ）前記センサ及び前記モータと通信している制御モジュールであって、前記制御モジュールは、前記センサからの信号に少なくとも一部基づき前記モータの動作を制御するように動作可能である、制御モジュール
を含む、実施態様１１に記載の装置。
（１４）  （ａ）フィードバック機構であって、前記フィードバック機構は、前記ステープル留めヘッドアセンブリの動作に関連付けられた状態を指示するために音声フィードバック又は視覚フィードバックのうちの１つ又は両方を操作者に提供するように動作可能である、フィードバック機構と、
（ｂ）制御アセンブリであって、
（ｉ）前記ステープル留めヘッドアセンブリの動作に関連付けられた１つ又は２つ以上の状態を検知するように構成されるセンサ、及び
（ｉｉ）前記センサ及び前記フィードバック機構と通信している制御モジュールであって、前記制御モジュールは、前記センサからの信号に少なくとも一部基づき前記フィードバック機構を駆動するように動作可能である、制御モジュール、
を含む、制御アセンブリと、
を更に備える、実施態様１に記載の装置。
（１５）  前記装置が、手動動作モードとモータ駆動動作モードとの間で切り換わるように構成され、前記制御アセンブリが、前記手動動作モードが選択されているのか、それとも前記モータ駆動動作モードが選択されているのかを指示するために前記フィードバック機構を駆動するように動作可能である、実施態様１４に記載の装置。
【００８２】
（１６）  前記制御アセンブリが、前記組織クランプモードが選択されているのか、それとも前記発射モードが選択されているのかを指示するために前記フィードバック機構を駆動するように動作可能である、実施態様１４に記載の装置。
（１７）  前記制御アセンブリが、前記アンビルと前記ステープル留めヘッドアセンブリとの間の距離を指示するために前記フィードバック機構を駆動するように動作可能である、実施態様１４に記載の装置。
（１８）  前記本体アセンブリがハンドルを画定する、実施態様１に記載の装置。
（１９）  組織をステープル留めするための装置であって、
（ａ）ステープル留めヘッドアセンブリであって、前記ステープル留めヘッドアセンブリは、組織クランプモード又は組織ステープル留めモードで選択的に動作するように構成され、前記ステープル留めヘッドアセンブリは、前記組織クランプモードでは組織をクランプするためにアンビルを駆動するように動作可能であり、前記ステープル留めヘッドアセンブリは、前記組織ステープル留めモードでは組織をステープル留めするように動作可能である、ステープル留めヘッドアセンブリと、
（ｂ）前記ステープル留めヘッドアセンブリを前記組織クランプモードで駆動するように動作可能である回転駆動軸であって、前記回転駆動軸は、前記ステープル留めヘッドアセンブリを前記組織ステープル留めモードで駆動するように更に動作可能である、回転駆動軸と、
（ｃ）前記回転駆動軸と結合される本体であって、前記本体は、
（ｉ）軸回転機構であって、前記軸回転機構は、前記回転駆動軸を回転させるように動作可能である、軸回転機構、及び
（ｉｉ）軸並進機構であって、前記軸並進機構は、前記回転駆動軸を第１の長手方向位置と第２の長手方向位置との間で並進させるように動作可能である、軸並進機構、
を含む本体と、
を備え、
前記回転駆動軸は、前記回転駆動軸が前記第１の長手方向位置にあることに応じて前記ステープル留めヘッドアセンブリを前記組織クランプモードで駆動するように動作可能であり、
前記回転駆動軸は、前記回転駆動軸が前記第２の長手方向位置にあることに応じて前記ステープル留めヘッドアセンブリを前記組織ステープル留めモードで駆動するように動作可能である、装置。
（２０）  組織をステープル留めするための装置であって、
（ａ）組織クランプモード又は組織ステープル留めモードで選択的に動作するように構成されるステープル留めヘッドアセンブリと、
（ｂ）前記ステープル留めヘッドアセンブリを前記組織クランプモードで駆動するように動作可能である駆動アセンブリであって、前記駆動アセンブリは、前記ステープル留めヘッドアセンブリを前記組織ステープル留めモードで駆動するように更に動作可能である、駆動アセンブリと、
（ｃ）前記ステープル留めヘッドアセンブリを前記組織クランプモードと前記組織ステープル留めモードとの間で移行させるように動作可能であるモード選択器と、
（ｄ）前記モード選択器によるモード選択の指示を提供するように動作可能であるフィードバック機構と、
を備える装置。
【図１】
0006396317.tif 000002
【図２Ａ】
0006396317.tif 000003
【図２Ｂ】
0006396317.tif 000004
【図２Ｃ】
0006396317.tif 000005
【図３】
0006396317.tif 000006
【図４Ａ】
0006396317.tif 000007
【図４Ｂ】
0006396317.tif 000008
【図５】
0006396317.tif 000009
【図６】
0006396317.tif 000010
【図７】
0006396317.tif 000011
【図８】
0006396317.tif 000012
【図９】
0006396317.tif 000013
【図１０】
0006396317.tif 000014
【図１１Ａ】
0006396317.tif 000015
【図１１Ｂ】
0006396317.tif 000016
【図１２】
0006396317.tif 000017
【図１３】
0006396317.tif 000018
【図１４】
0006396317.tif 000019
【図１５Ａ】
0006396317.tif 000020
【図１５Ｂ】
0006396317.tif 000021
【図１５Ｃ】
0006396317.tif 000022
【図１６】
0006396317.tif 000023
【図１７Ａ】
0006396317.tif 000024
【図１７Ｂ】
0006396317.tif 000025
【図１７Ｃ】
0006396317.tif 000026
【図１８】
0006396317.tif 000027
【図１９】
0006396317.tif 000028
【図２０】
0006396317.tif 000029